(57)【要約】本発明は、ウォッチフェイスを提示するための方法を提供する。この方法は、第１のコンテキスト情報および第２のコンテキスト情報を検知および／または受信するステップであって、第１のコンテキスト情報は、スマートウォッチのウォッチフェイススタイルを決定するために使用され、第２のコンテキスト情報は、ユーザの着こなし情報を示すために使用される、ステップと、第１のコンテキスト情報に従ってスマートウォッチのウォッチフェイススタイルを決定するステップと、ウォッチフェイススタイルおよび第２のコンテキスト情報に従ってスマートウォッチのウォッチフェイスパターンを提示するステップとを含む。
2019512667.tif 000002
【特許請求の範囲】
【請求項１】
スマートウォッチのウォッチフェイスを提示するための方法であって、
第１のコンテキスト情報および第２のコンテキスト情報を検知および／または受信するステップであって、前記第１のコンテキスト情報は、前記スマートウォッチのウォッチフェイススタイルを決定するために使用され、前記第２のコンテキスト情報は、ユーザの着こなし情報を示すために使用される、ステップと、
前記第１のコンテキスト情報に従って前記スマートウォッチの前記ウォッチフェイススタイルを決定するステップと、
前記ウォッチフェイススタイルおよび前記第２のコンテキスト情報に従って前記スマートウォッチのウォッチフェイスパターンを提示するステップと
を含む方法。
【請求項２】
前記第１のコンテキスト情報は、前記ユーザのロケーション情報、前記ユーザの現在時刻情報、アクション情報、アジェンダ情報、音声情報、ソーシャルメディア情報、またはオペレーション命令情報のうちの１つまたは複数を含み、
前記第１のコンテキスト情報に従って前記スマートウォッチの前記ウォッチフェイススタイルを決定する前記ステップは、
前記第１のコンテキスト情報に従って前記ユーザの使用機会を決定するステップと、
前記使用機会に従って前記スマートウォッチの前記ウォッチフェイススタイルを決定するステップと
を特に含む請求項１に記載の方法。
【請求項３】
前記ウォッチフェイススタイルおよび前記第２のコンテキスト情報に従って前記スマートウォッチのウォッチフェイスパターンを提示する前記ステップは、
プリセット対応関係に従って、前記ウォッチフェイススタイルおよび前記着こなし情報に対応するウォッチフェイスパターンを提示するステップであって、前記プリセット対応関係は、前記ウォッチフェイススタイルおよび前記着こなし情報の１つの組合せが１つのウォッチフェイスパターンに対応することを示すために使用される、ステップを特に含む請求項１または２に記載の方法。
【請求項４】
前記着こなし情報は、上着情報、アウターウェア情報、ズボン情報、靴および帽子情報、スカーフ情報、またはアクセサリー情報のうちの１つまたは複数を特に含む請求項３に記載の方法。
【請求項５】
プリセット対応関係に従って、前記ウォッチフェイススタイルおよび前記着こなし情報に対応するウォッチフェイスパターンを提示する前記ステップの前に、
上着情報、アウターウェア情報、ズボン情報、靴および帽子情報、スカーフ情報、またはアクセサリー情報のうちの前記１つまたは複数の優先度レベルを設定するステップをさらに含み、
プリセット対応関係に従って、前記ウォッチフェイススタイルおよび前記着こなし情報に対応するウォッチフェイスパターンを提示する前記ステップは、
前記プリセット対応関係、および前記優先度レベルのシーケンスに従って、前記ウォッチフェイススタイルおよび前記着こなし情報に対応する前記ウォッチフェイスパターンを提示するステップを特に含む請求項４に記載の方法。
【請求項６】
前記ウォッチフェイススタイルおよび前記第２のコンテキスト情報に従って前記スマートウォッチのウォッチフェイスパターンを提示する前記ステップは、
プリセット対応関係に従って、前記ユーザが選択するために、前記ウォッチフェイススタイルおよび前記着こなし情報に対応するウォッチフェイスパターンを前記ユーザに表示するステップであって、前記プリセット対応関係は、前記ウォッチフェイススタイルおよび前記着こなし情報の１つの組合せが少なくとも１つのウォッチフェイスパターンに対応することを示すために使用される、ステップと、
前記ユーザによって選択されたウォッチフェイスパターンを提示するステップとを特に含む請求項１または２に記載の方法。
【請求項７】
第１のコンテキスト情報および第２のコンテキスト情報を検知および／または受信する前記ステップの前に、
前記ユーザの個人特徴情報を入手するステップと、
前記ユーザの前記個人特徴情報に従って前記スマートウォッチの少なくとも１つのウォッチフェイススタイルを決定するステップと
をさらに含む請求項１に記載の方法。
【請求項８】
前記第１のコンテキスト情報に従って前記スマートウォッチの前記ウォッチフェイススタイルを決定する前記ステップは、
前記個人特徴情報に従って決定された、前記スマートウォッチの前記少なくとも１つのウォッチフェイススタイルから、前記スマートウォッチの前記ウォッチフェイススタイルを前記第１のコンテキスト情報に従ってさらに決定するステップを特に含む請求項７に記載の方法。
【請求項９】
スマートウォッチのウォッチフェイスを提示するための方法であって、
ユーザの好み情報、および少なくとも１人の別のユーザのウォッチフェイスパターンを検知および／または受信するステップであって、前記ユーザの前記好み情報は、前記少なくとも１人の別のユーザの前記ウォッチフェイスパターンと同じウォッチフェイスパターンを有することを前記ユーザが好むかどうかを示すために使用され、前記少なくとも１人の別のユーザは、前記ユーザのソーシャルメディア友達、前記ユーザによってフォローされているソーシャルメディアオブジェクト、または近くのユーザのうちの１人または複数を含む、ステップと、
前記少なくとも１人の別のユーザの前記ウォッチフェイスパターンの１つを前記ユーザの前記好み情報に従って提示するステップと
を含む方法。
【請求項１０】
前記少なくとも１人の別のユーザの前記ウォッチフェイスパターンの１つを前記ユーザの前記好み情報に従って提示する前記ステップは、
前記少なくとも１人の別のユーザの前記ウォッチフェイスパターンを、前記ユーザが選択するために前記ユーザの前記好み情報に従って前記ユーザに表示するステップと、
前記ユーザによって選択されたウォッチフェイスパターンを提示するステップと
を特に含む請求項９に記載の方法。
【請求項１１】
スマートウォッチのウォッチフェイスを提示するための装置であって、
第１のコンテキスト情報および第２のコンテキスト情報を検知および／または受信するように構成された検知ユニットおよび／または受信ユニットであって、前記第１のコンテキスト情報は、前記スマートウォッチのウォッチフェイススタイルを決定するために使用され、前記第２のコンテキスト情報は、ユーザの着こなし情報を示すために使用される、検知ユニットおよび／または受信ユニットと、
前記検知ユニットによって検知される、および／または前記受信ユニットによって受信される前記第１のコンテキスト情報に従って前記スマートウォッチの前記ウォッチフェイススタイルを決定するように構成された決定ユニットと、
前記決定ユニットによって決定された、前記スマートウォッチの前記ウォッチフェイススタイル、ならびに、前記検知ユニットによって検知される、および／または前記受信ユニットによって受信される前記第２のコンテキスト情報に従って、前記スマートウォッチのウォッチフェイスパターンを提示するように構成された提示ユニットと
を含む装置。
【請求項１２】
前記第１のコンテキスト情報は、前記ユーザのロケーション情報、前記ユーザの現在時刻情報、アクション情報、アジェンダ情報、音声情報、ソーシャルメディア情報、またはオペレーション命令情報のうちの１つまたは複数を含み、
前記決定ユニットは、
前記検知ユニットによって検知される、および／または前記受信ユニットによって受信される前記第１のコンテキスト情報に従って前記ユーザの使用機会を決定し、
前記使用機会に従って前記スマートウォッチの前記ウォッチフェイススタイルを決定するように特に構成された請求項１１に記載の装置。
【請求項１３】
前記提示ユニットは、プリセット対応関係に従って、前記ウォッチフェイススタイルおよび前記着こなし情報に対応するウォッチフェイスパターンを提示するように特に構成され、前記プリセット対応関係は、前記ウォッチフェイススタイルおよび前記着こなし情報の１つの組合せが１つのウォッチフェイスパターンに対応することを示すために使用される、請求項１１または１２に記載の装置。
【請求項１４】
前記着こなし情報は、
上着情報、アウターウェア情報、ズボン情報、靴および帽子情報、スカーフ情報、またはアクセサリー情報のうちの１つまたは複数を特に含む請求項１３に記載の装置。
【請求項１５】
前記決定ユニットは、上着情報、アウターウェア情報、ズボン情報、靴および帽子情報、スカーフ情報、またはアクセサリー情報のうちの前記１つまたは複数の優先度レベルを設定するようにさらに構成され、
前記提示ユニットは、前記プリセット対応関係、および前記優先度レベルのシーケンスに従って、前記ウォッチフェイススタイルおよび前記着こなし情報に対応する前記ウォッチフェイスパターンを提示するように特に構成された請求項１４に記載の装置。
【請求項１６】
前記提示ユニットは、
プリセット対応関係に従って、前記ユーザが選択するために、前記ウォッチフェイススタイルおよび前記着こなし情報に対応するウォッチフェイスパターンを前記ユーザに表示し、前記プリセット対応関係は、前記ウォッチフェイススタイルおよび前記着こなし情報の１つの組合せが少なくとも１つのウォッチフェイスパターンに対応するということを示すために使用され、
前記ユーザによって選択されたウォッチフェイスパターンを提示する
ように特に構成された請求項１１または１２に記載の装置。
【請求項１７】
前記検知ユニットおよび／または前記受信ユニットは、前記ユーザの個人特徴情報を検知および／または受信するようにさらに構成され、
前記決定ユニットは、前記検知ユニットによって検知される、および／または前記受信ユニットによって受信される前記個人特徴情報に従って前記スマートウォッチの少なくとも１つのウォッチフェイススタイルを決定するようにさらに構成された請求項１１に記載の装置。
【請求項１８】
前記決定ユニットは、前記決定ユニットによって決定された、前記スマートウォッチの前記少なくとも１つのウォッチフェイススタイルから、前記スマートウォッチの前記ウォッチフェイススタイルを、前記検知ユニットによって検知される、および／または前記受信ユニットによって受信される前記第１のコンテキスト情報に従ってさらに決定するように特に構成された請求項１７に記載の装置。
【請求項１９】
スマートウォッチのウォッチフェイスを提示するための装置であって、
ユーザの好み情報、および少なくとも１人の別のユーザのウォッチフェイスパターンを検知または受信するように構成された検知ユニットおよび／または受信ユニットであって、前記ユーザの前記好み情報は、前記少なくとも１人の別のユーザの前記ウォッチフェイスパターンと同じウォッチフェイスパターンを有することを前記ユーザが好むかどうかを示すために使用され、前記少なくとも１人の別のユーザは、前記ユーザのソーシャルメディア友達、前記ユーザによってフォローされているソーシャルメディアオブジェクト、または近くのユーザのうちの１人または複数を含む、検知ユニットおよび／または受信ユニットと、
前記検知ユニットによって検知される、および／または前記受信ユニットによって受信される前記少なくとも１人の別のユーザの前記ウォッチフェイスパターンの１つを前記ユーザの前記好み情報に従って提示するように構成された提示ユニットと
を含む装置。
【請求項２０】
前記提示ユニットは、
前記検知ユニットによって検知される、および／または前記受信ユニットによって受信される前記少なくとも１人の別のユーザの前記ウォッチフェイスパターンを、前記ユーザが選択するために前記ユーザの前記好み情報に従って前記ユーザに表示し、
前記ユーザによって選択されたウォッチフェイスパターンを提示するように特に構成された請求項１９に記載の装置。
【請求項２１】
命令を含むコンピュータ可読記録媒体であって、前記命令がコンピュータ上で実行されたときに、前記コンピュータは、請求項１乃至８のいずれか一項に記載の方法を実行することができる、コンピュータ可読記録媒体。
【請求項２２】
命令を含むコンピュータ可読記録媒体であって、前記命令がコンピュータ上で実行されたときに、前記コンピュータは、請求項９または１０に記載の方法を実行することができる、コンピュータ可読記録媒体。
【発明の詳細な説明】
【技術分野】
【０００１】
本発明は、電子テクノロジーの分野に関連しており、詳細には、ウォッチフェイスを提示するための方法および装置、ならびにスマートウォッチに関連している。
【０００２】
本出願は、２０１６年１２月２２日に中国特許庁に出願された「ＭＥＴＨＯＤ  ＡＮＤ  ＡＰＰＡＲＡＴＵＳ  ＦＯＲ  ＰＲＥＳＥＮＴＩＮＧ  ＷＡＴＣＨ  ＦＡＣＥ，  ＡＮＤ  ＳＭＡＲＴＷＡＴＣＨ」と題されている中国特許出願第２０１６１１２０００９２．３号に対する優先権を主張するものであり、その中国特許出願第２０１６１１２０００９２．３号は、その全体が参照によって本明細書に組み込まれている。
【背景技術】
【０００３】
インテリジェントなウェアラブル製品の開発に伴って、スマートウォッチがますます人気を博しており、消費者の日常生活において徐々に使用されてきている。主としてファッションスタイルで取り上げられるｉＷａｔｃｈ、主としてビジネススタイルで取り上げられるＨｕａｗｅｉ  Ｗａｔｃｈ、または主としてスポーツスタイルで取り上げられるＮｉｋｅスマートウォッチなど、さまざまなスタイルのスマートウォッチが、次から次へと現れている。これらのスマートウォッチは、ユーザによって直面されるさまざまな仕事上および生活上の適用シナリオに対応している。スマートウォッチのウォッチフェイスは、電子的に表示され、ウォッチフェイスパターンは、思いどおりに変更されることが可能であり、したがってスマートウォッチはまた、ウォッチフェイス提示形式をユーザが手動で変更することを可能にする機能を提供する。
【０００４】
従来型の腕時計を買う際に、人々は通常、その従来型の腕時計のスタイルがすべてにマッチしているかどうかに注意を払うか、またはさまざまな機会に備えるためにさまざまなスタイルのいくつかの腕時計を買う必要がある。しかしながら、この側面においては、スマートウォッチは、よりいっそう便利である。スマートウォッチにおいて提供されている独自のプログラム、またはいくつかのサードパーティープログラムが、ユーザによってダウンロードされることが可能である大量のさまざまなウォッチフェイスを提供している。しかしながら、あまりにも多くの選択肢は、選択を行うことが困難であるということを意味し、したがって、かえって、ユーザがウォッチフェイスを選択する際にあまりにも多くの時間がかかるか、または難しい選択に起因してユーザは長い間ウォッチフェイスパターンを変更しない。結果として、ユーザ体験は貧しくなり、スマートウォッチのウォッチフェイスはフレキシブルに変更されることが可能であるという利点がフルに活用されない。
【発明の概要】
【０００５】
本発明の実施形態は、ユーザ特徴情報に従ってウォッチフェイスを提示するための方法を提供する。この方法によれば、ユーザの第１のコンテキスト情報に従ってウォッチフェイススタイルが決定されることが可能であり、その決定されたウォッチフェイススタイルおよびユーザの第２のコンテキスト情報に従ってウォッチフェイスパターンが決定されることが可能であり、次いでそのウォッチフェイスパターンが提示され、それによってウォッチフェイスパターンは、ユーザ特徴に従って自動的に変更される。したがって、さまざまなシナリオにおいて着用されるスマートウォッチのウォッチフェイスパターンが現在のシナリオにマッチすることが可能であり、たとえユーザが１つのスマートウォッチを着用していても、ユーザは容易に、さまざまな仕事および生活のシナリオにおいて、表明された個人的な嗜好とともに存在することが可能である。
【０００６】
第１の態様によれば、本発明の実施形態は、ウォッチフェイスを提示するための方法を提供する。この方法は、第１のコンテキスト情報および第２のコンテキスト情報を検知および／または受信するステップであって、第１のコンテキスト情報は、スマートウォッチのウォッチフェイススタイルを決定するために使用され、第２のコンテキスト情報は、ユーザの着こなし情報を示すために使用される、ステップと、第１のコンテキスト情報に従ってスマートウォッチのウォッチフェイススタイルを決定するステップと、ウォッチフェイススタイルおよび第２のコンテキスト情報に従ってスマートウォッチのウォッチフェイスパターンを提示するステップとを含む。
【０００７】
本発明のこの実施形態において提供されている、ウォッチフェイスを提示するための方法によれば、最初に、第１のコンテキスト情報に従ってウォッチフェイススタイルが決定されることが可能であり、次いで、ウォッチフェイススタイルおよび第２のコンテキスト情報を参照してウォッチフェイスパターンが提示される。この方法においては、ウォッチフェイスパターンを提示するプロセスが最適化され、ウォッチフェイススタイル、ウォッチフェイスパターン、および使用シナリオの間における適合度が改善され、ユーザによってウォッチフェイスパターンを選択するために費やされる時間およびエネルギーが低減される。
【０００８】
可能な実装形態においては、第１のコンテキスト情報は、ユーザのロケーション情報、ユーザの現在時刻情報、アクション情報、アジェンダ情報、音声情報、ソーシャルメディア情報、またはオペレーション命令情報のうちの１つまたは複数を含み、第１のコンテキスト情報に従ってスマートウォッチのウォッチフェイススタイルを決定するステップは、第１のコンテキスト情報に従ってユーザの使用機会を決定するステップと、その使用機会に従ってスマートウォッチのウォッチフェイススタイルを決定するステップとを特に含む。
【０００９】
可能な実装形態においては、および第１の態様の第２の可能な実装形態においては、ウォッチフェイススタイルおよび第２のコンテキスト情報に従ってスマートウォッチのウォッチフェイスパターンを提示するステップは、プリセット対応関係に従って、ウォッチフェイススタイルおよび着こなし情報に対応するウォッチフェイスパターンを提示するステップであって、プリセット対応関係は、ウォッチフェイススタイルおよび着こなし情報の１つの組合せが１つのウォッチフェイスパターンに対応するということを示すために使用される、ステップを特に含む。
【００１０】
可能な実装形態においては、着こなし情報は、上着情報、アウターウェア情報、ズボン情報、靴および帽子情報、スカーフ情報、またはアクセサリー情報のうちの１つまたは複数を特に含む。
【００１１】
可能な実装形態においては、プリセット対応関係に従って、ウォッチフェイススタイルおよび着こなし情報に対応するウォッチフェイスパターンを提示するステップの前に、この方法は、上着情報、アウターウェア情報、ズボン情報、靴および帽子情報、スカーフ情報、またはアクセサリー情報のうちの１つまたは複数の優先度レベルを設定するステップをさらに含み、プリセット対応関係に従って、ウォッチフェイススタイルおよび着こなし情報に対応するウォッチフェイスパターンを提示するステップは、プリセット対応関係、および優先度レベルのシーケンスに従って、ウォッチフェイススタイルおよび着こなし情報に対応するウォッチフェイスパターンを提示するステップを特に含む。
【００１２】
可能な実装形態においては、ウォッチフェイススタイルおよび第２のコンテキスト情報に従ってスマートウォッチのウォッチフェイスパターンを提示するステップは、プリセット対応関係に従って、ユーザが選択するために、ウォッチフェイススタイルおよび着こなし情報に対応するウォッチフェイスパターンをユーザに表示するステップであって、プリセット対応関係は、ウォッチフェイススタイルおよび着こなし情報の１つの組合せが少なくとも１つのウォッチフェイスパターンに対応するということを示すために使用される、ステップと、ユーザによって選択されたウォッチフェイスパターンを提示するステップとを特に含む。
【００１３】
可能な実装形態においては、第１のコンテキスト情報および第２のコンテキスト情報を検知および／または受信するステップの前に、この方法は、ユーザの個人特徴情報を入手するステップと、ユーザの個人特徴情報に従ってスマートウォッチの少なくとも１つのウォッチフェイススタイルを決定するステップとをさらに含む。
【００１４】
可能な実装形態においては、第１のコンテキスト情報に従ってスマートウォッチのウォッチフェイススタイルを決定するステップは、個人特徴情報に従って決定された、スマートウォッチの少なくとも１つのウォッチフェイススタイルから、スマートウォッチのウォッチフェイススタイルを第１のコンテキスト情報に従ってさらに決定するステップを特に含む。
【００１５】
第２の態様によれば、本発明の実施形態は、ウォッチフェイスを提示するための方法を提供する。この方法は、ユーザの好み情報、および少なくとも１人の別のユーザのウォッチフェイスパターンを検知または受信するステップであって、ユーザの好み情報は、少なくとも１人の別のユーザのウォッチフェイスパターンと同じウォッチフェイスパターンを有することをユーザが好むかどうかを示すために使用され、少なくとも１人の別のユーザは、ユーザのソーシャルメディア友達、ユーザによってフォローされているソーシャルメディアオブジェクト、または近くのユーザのうちの１人または複数を含む、ステップと、少なくとも１人の別のユーザのウォッチフェイスパターンの１つをユーザの好み情報に従って提示するステップとを含む。
【００１６】
可能な実装形態においては、少なくとも１人の別のユーザのウォッチフェイスパターンの１つをユーザの好み情報に従って提示するステップは、少なくとも１人の別のユーザのウォッチフェイスパターンを、ユーザが選択するためにユーザの好み情報に従ってユーザに表示するステップと、ユーザによって選択されたウォッチフェイスパターンを提示するステップとを特に含む。
【００１７】
第３の態様によれば、本発明の実施形態は、スマートウォッチのウォッチフェイスを提示するための装置を提供する。この装置は、第１のコンテキスト情報および第２のコンテキスト情報を検知および／または受信するステップであって、第１のコンテキスト情報は、スマートウォッチのウォッチフェイススタイルを決定するために使用され、第２のコンテキスト情報は、ユーザの着こなし情報を示すために使用される、ステップを行うように構成されている検知ユニットおよび／または受信ユニットと、検知ユニットによって検知される、および／または受信ユニットによって受信される第１のコンテキスト情報に従ってスマートウォッチのウォッチフェイススタイルを決定するステップを行うように構成されている決定ユニットと、決定ユニットによって決定された、スマートウォッチのウォッチフェイススタイル、ならびに検知ユニットによって検知される、および／または受信ユニットによって受信される第２のコンテキスト情報に従ってスマートウォッチのウォッチフェイスパターンを提示するステップを行うように構成されている提示ユニットとを含む。
【００１８】
第４の態様によれば、本発明の実施形態は、スマートウォッチのウォッチフェイスを提示するための別の装置を提供し、この装置は、ユーザの好み情報、および少なくとも１人の別のユーザのウォッチフェイスパターンを検知または受信するステップであって、ユーザの好み情報は、少なくとも１人の別のユーザのウォッチフェイスパターンと同じウォッチフェイスパターンを有することをユーザが好むかどうかを示すために使用され、少なくとも１人の別のユーザは、ユーザのソーシャルメディア友達、ユーザによってフォローされているソーシャルメディアオブジェクト、または近くのユーザのうちの１人または複数を含む、ステップを行うように構成されている検知ユニットおよび／または受信ユニットと、少なくとも１人の別のユーザのウォッチフェイスパターンの１つをユーザの好み情報に従って提示するステップを行うように構成されている提示ユニットとを含む。
【００１９】
第５の態様によれば、本発明の実施形態は、スマートウォッチを提供する。このスマートウォッチは、第３の態様において提供されている装置を含む。
【００２０】
第６の態様によれば、本発明の実施形態は、別のスマートウォッチを提供する。この別のスマートウォッチは、第４の態様において提供されている装置を含む。
【００２１】
第７の態様によれば、本発明の実施形態は、スマートウォッチを提供する。このスマートウォッチは、第１のコンテキスト情報および第２のコンテキスト情報を検知および／または受信するステップであって、第１のコンテキスト情報は、スマートウォッチのウォッチフェイススタイルを決定するために使用され、第２のコンテキスト情報は、ユーザの着こなし情報を示すために使用される、ステップを行うように構成されているＩ／Ｏシステムおよび／またはトランシーバ回路と、プロセッサと、ディスプレイスクリーンとを含み、プロセッサは、Ｉ／Ｏシステムによって検知される、および／またはトランシーバ回路によって受信される第１のコンテキスト情報に従ってスマートウォッチのウォッチフェイススタイルを決定するステップを行うように構成されており、ディスプレイスクリーンは、プロセッサによって決定された、スマートウォッチのウォッチフェイススタイル、ならびにＩ／Ｏシステムによって検知される、および／またはトランシーバ回路によって受信される第２のコンテキスト情報に従ってスマートウォッチのウォッチフェイスパターンを提示するステップを行うように構成されている。
【００２２】
第８の態様によれば、本発明の実施形態は、別のスマートウォッチを提供する。この別のスマートウォッチは、ユーザの好み情報、および少なくとも１人の別のユーザのウォッチフェイスパターンを検知または受信するステップであって、ユーザの好み情報は、少なくとも１人の別のユーザのウォッチフェイスパターンと同じウォッチフェイスパターンを有することをユーザが好むかどうかを示すために使用され、少なくとも１人の別のユーザは、ユーザのソーシャルメディア友達、ユーザによってフォローされているソーシャルメディアオブジェクト、または近くのユーザのうちの１人または複数を含む、ステップを行うように構成されているＩ／Ｏシステムおよび／またはトランシーバ回路と、少なくとも１人の別のユーザのウォッチフェイスパターンの１つをユーザの好み情報に従って提示するステップを行うように構成されているディスプレイスクリーンとを含む。
【００２３】
第９の態様によれば、本発明の実施形態は、コンピュータ記録媒体を提供する。そのコンピュータ記録媒体内には命令が格納されており、その命令がコンピュータ上で実行されたときに、そのコンピュータは、第１の態様、または第１の態様の可能な実装形態のうちのいずれか１つによる方法を実行することができる。
【００２４】
第１０の態様によれば、本発明の実施形態は、コンピュータ記録媒体を提供する。そのコンピュータ記録媒体内には命令が格納されており、その命令がコンピュータ上で実行されたときに、そのコンピュータは、第２の態様、または第２の態様の可能な実装形態のうちのいずれか１つによる方法を実行することができる。
【００２５】
本発明の実施形態において提供されている、スマートウォッチのウォッチフェイスを提示するための方法および装置、ならびにスマートウォッチによれば、第１のコンテキスト情報および第２のコンテキスト情報が検知および／または受信されることが可能であり、第１のコンテキスト情報に従ってウォッチフェイススタイルが決定されることが可能であり、次いで第２のコンテキスト情報を参照してウォッチフェイスパターンが提示される。この方法においては、ウォッチフェイスパターンを自動的に提示するプロセスが最適化され、ウォッチフェイススタイル、ウォッチフェイスパターン、および使用シナリオの間における適合度が改善され、ユーザによってウォッチフェイスパターンを選択するために費やされる時間およびエネルギーが低減される。
【図面の簡単な説明】
【００２６】
【図１】本発明の実施形態による、スマートウォッチのウォッチフェイスを提示するための方法のシステムフレームワークの図である。
【図２】本発明の実施形態による、スマートウォッチのウォッチフェイスを提示するための方法のフローチャートである。
【図３】本発明の実施形態による、友達のウォッチフェイスパターン入手効果の概略図である。
【図４】本発明の実施形態による、別の友達のウォッチフェイスパターン入手効果の概略図である。
【図５】本発明の実施形態による、スマートウォッチのウォッチフェイスを提示するための方法の効果の概略図である。
【図６】本発明の実施形態による、スマートウォッチのウォッチフェイスを提示するための方法のフローチャートである。
【図７】本発明の実施形態による、スマートウォッチのウォッチフェイスを提示するための装置の概略図である。
【図８】本発明の実施形態による、スマートウォッチのウォッチフェイスを提示するための別の装置の概略図である。
【図９】本発明の実施形態によるスマートウォッチの概略構造図である。
【図１０】本発明の実施形態による別のスマートウォッチの概略構造図である。
【発明を実施するための形態】
【００２７】
ユーザは、さまざまなシナリオにおいてスマートウォッチのウォッチフェイスを変更する必要がある。従来技術のスマートウォッチは、ユーザが選択するためのさまざまなスタイルおよびパターンの大量のウォッチフェイスを提供しているが、適切なウォッチフェイスをユーザが選択するのに多くの時間がかかり、現在のシナリオに適しているウォッチフェイスをユーザが選択することは、比較的困難である。なぜならユーザは、ウォッチフェイスをどのようにしてマッチさせるかに関する関連した知識が欠如していることがあるからである。本発明の実施形態は、スマートウォッチのウォッチフェイスを提示するための方法、ならびにその方法に基づいている装置およびスマートウォッチを提供する。現在のシナリオに適しているウォッチフェイスが、現在のユーザ特徴情報に従って自動的に提示されることが可能であり、または１つもしくは複数のウォッチフェイスパターンが、ユーザが選択するためにユーザへ推奨され、それにより、ユーザによってウォッチフェイスを選択するために費やされる時間が低減され、ウォッチフェイスと現在のシナリオとの間における適合度が改善される。
【００２８】
本発明において提供されているウォッチフェイスを提示するための方法の基本的なアイディアは、次のとおりである。すなわち、ユーザによってスマートウォッチを使用するプロセスにおいてコンテキスト情報を入手し、そのコンテキスト情報は、第１のコンテキスト情報および第２のコンテキスト情報を含み、第１のコンテキスト情報は、ウォッチフェイススタイルを決定するために使用されてよく、第２のコンテキスト情報は、ユーザの着こなし情報を示すために使用されてよく、次いで、第１のコンテキスト情報に従ってウォッチフェイススタイルを決定し、ウォッチフェイススタイルおよび第２のコンテキスト情報に従ってウォッチフェイスパターンを提示する。加えて、本発明において提供されているウォッチフェイスを提示するための方法によれば、そのユーザによってフォローされている別のユーザによって最近使用されているウォッチフェイスパターンが、ソーシャルネットワーキングを通じて認識されることも可能であり、近くのユーザによって使用されているウォッチフェイスパターンが、地理的ロケーションに基づいて認識されることが可能であり、別のユーザのウォッチフェイスパターンが、ユーザの好みに従って提示される。
【００２９】
本発明の実施形態に関連したウォッチフェイスパターンは、ウォッチフェイス背景の特定の画像、腕時計の針および数字の特定の形状および色、ならびにウォッチフェイス上のアイコンなどの別のグラフィック要素の形状および色を含み得、ウォッチフェイスパターンは、腕時計の１つの特定のウォッチフェイス提示パターンであり得るということに留意されたい。本発明の実施形態に関連したウォッチフェイススタイルは、ウォッチフェイスパターンのタイプであり得る。同じウォッチフェイススタイルに対応するまたは属するウォッチフェイスパターンは、同じもしくは同様の特徴を伴うウォッチフェイスパターンであり得、または全体として典型的な外観を提示するウォッチフェイスパターンであり得る。本発明の実施形態において提供されている方法が、以降で記述されている。この方法は、スマートウォッチによって実行される。
【００３０】
本発明の実施形態による、スマートウォッチのウォッチフェイスを提示するための方法のアプリケーションフレームワークが、図１において示されている。スマートウォッチ１０２が、Ｗｉ−ＦｉまたはＢｌｕｅｔｏｏｔｈなどの通信様式でインテリジェント端末１０１へ接続され得る。スマートウォッチ１０２は、第１のコンテキスト情報および第２のコンテキスト情報を検知し得るか、またはインテリジェント端末１０１によって検知された第１のコンテキスト情報および第２のコンテキスト情報を受信し得る。インテリジェント端末１０１は、スマートフォン、タブレットコンピュータ、および携帯情報端末（Ｐｅｒｓｏｎａｌ  Ｄｉｇｉｔａｌ  Ａｓｓｉｓｔａｎｔ、ＰＤＡ）など、ユーザによって日常生活において通信および仕事のために携行されるさまざまなインテリジェント端末を含み得る。スマートウォッチ１０２は、検知または受信される第１のコンテキスト情報および第２のコンテキスト情報に従って処理を実行して、ユーザが腕時計を着用するシナリオにマッチするウォッチフェイスパターンを入手し得る。スマートウォッチ１０２は、代替として、インテリジェント端末１０１のコンピューティング能力を使用することによって第１のコンテキスト情報および第２のコンテキスト情報を処理して、ユーザが腕時計を使用するシナリオにマッチするウォッチフェイスパターンを入手し得る。
【００３１】
本発明の実施形態は、スマートウォッチのウォッチフェイスを提示するための方法を提供し、この方法は、スマートウォッチによって実行される。図２において示されているように、この方法は、下記のステップを含む。
【００３２】
ステップ２０１．  第１のコンテキスト情報および第２のコンテキスト情報を検知および／または受信し、第１のコンテキスト情報は、スマートウォッチのウォッチフェイススタイルを決定するために使用され、第２のコンテキスト情報は、ユーザの着こなし情報を示すために使用される。
【００３３】
スマートウォッチ１０２は、スマートウォッチ１０２のハードウェアリソースを使用することによって第１のコンテキスト情報および第２のコンテキスト情報を検知し得るか、またはインテリジェント端末１０１によって送信される第１のコンテキスト情報および第２のコンテキスト情報を受信し得る。第１のコンテキスト情報は、スマートウォッチのウォッチフェイススタイルを決定するために使用され、第２のコンテキスト情報は、ユーザの着こなし情報を示すために使用される。
【００３４】
例においては、ユーザの着こなし情報を示すために使用される第２のコンテキスト情報は、スマートウォッチ１０２のカメラを使用することによって検知され得、またはインテリジェント端末１０１のカメラによって検知された第２のコンテキスト情報を受信することによって入手され得る。特に、カメラを使用することによって、ユーザの着こなしステータスを含む写真が撮影され得、その写真からユーザの着こなし情報が入手され得る。
【００３５】
例においては、インテリジェント端末１０１の、もしくはスマートウォッチ１０２のオペレーションインターフェースが、第２のコンテキスト情報のオプションもしくは入力インターフェースを含み得、またはオプションもしくは入力インターフェースは、インテリジェント端末１０１もしくはスマートウォッチ１０２にインストールされているアプリケーションを使用することによって提供され得る。インテリジェント端末１０１もしくはスマートウォッチ１０２は、オプションもしくは入力インターフェースを通じてユーザが選択するための複数のタイプの第２のコンテキスト情報を格納し得、またはユーザは、オプションもしくは入力インターフェースを通じて第２のコンテキスト情報を手動で入力し得る。選択または入力された第２のコンテキスト情報は、ユーザの着こなし情報を含む。
【００３６】
ステップ２０２．  第１のコンテキスト情報に従ってスマートウォッチのウォッチフェイススタイルを決定する。
【００３７】
例においては、ユーザがスマートウォッチを使用する機会が、第１のコンテキスト情報に従って決定され得る。
【００３８】
例においては、第１のコンテキスト情報は、ユーザについてのものである現在時刻情報、ロケーション情報、およびアクション情報を含み得る。スマートウォッチ１０２の測位システムまたはインテリジェント端末１０１の測位システムを使用することによって、ユーザの現在のロケーションが入手され得、スマートウォッチ１０２のセンサシステムまたはインテリジェント端末１０２のセンサシステムを使用することによって、ユーザのアクション情報が入手され得、現在時刻情報、そのロケーション、およびそのアクション情報に従って、ユーザがスマートウォッチを使用する機会が認識される。特定の例に関して、時刻が午前６：００であり、ユーザが屋外にいて、アクションがランニングである場合には、スマートウォッチ１０２を使用することによって、現在時刻情報、ロケーション情報、およびアクション情報に従って、ユーザがスポーツおよびフィットネスを行っているということが認識されることが可能である。すなわち、この例においては、現在時刻情報、ロケーション情報、およびアクション情報を含む第１のコンテキスト情報に従って、ユーザがスマートウォッチ１０２を使用するスポーツおよびフィットネス機会が決定される。
【００３９】
例においては、第１のコンテキスト情報は、ユーザのアジェンダ情報をさらに含み得る。たとえば、アジェンダ情報は、スマートウォッチ１０２またはインテリジェント端末１０１にインストールされているアジェンダアプリケーションから入手され得る。特定の例に関して、ユーザがミーティングに出席しているということがアジェンダアプリケーションから入手された場合には、ユーザがスマートウォッチ１０２を使用する機会は、ミーティングとして決定され得る。
【００４０】
例においては、第１のコンテキスト情報は、ソーシャルメディア情報をさらに含み得る。具体的には、ユーザによってポストされたソーシャルメディア情報が、ソーシャルメディアアプリケーションから入手され得、そのソーシャルメディア情報に従って、ユーザがスマートウォッチ１０２を使用する機会が決定され得る。
【００４１】
例においては、第１のコンテキスト情報は、ユーザの音声情報をさらに含み得る。たとえば、ユーザの音声「友達の誕生日パーティーに行くところだ」が入手され、その音声情報に従って、ユーザがスマートウォッチ１０２を使用する機会は、カジュアルパーティーとして決定され得る。
【００４２】
前述の例の処理ルールに関して、表１が、さまざまなタイプの第１のコンテキスト情報と、その第１のコンテキスト情報に従って決定される、ユーザがスマートウォッチ１０２を使用する使用機会とをリストアップしている。
【００４３】
【表１】
2019512667.tif 000003
【００４４】
例においては、特に、第１のコンテキスト情報を入手するステップは、ユーザのオペレーション命令情報を受信するステップと、ユーザのオペレーション命令情報に従ってウォッチフェイススタイルを決定するステップとをさらに含み得る。例においては、特に、ユーザは、スマートウォッチ１０２の設定インターフェース、またはインテリジェント端末１０１にインストールされている、スマートウォッチ１０２に対応するアプリケーションの設定インターフェースを使用することによって、使用機会を手動で選択してよい。複数のオプションを含むドロップダウンリストなどから使用機会が選択され得る。次いで、ユーザによって選択された使用機会は、日常の仕事時、ビジネスミーティング、スポーツおよびフィットネス、カジュアルパーティー、旅行、またはデートなど、ユーザの使用機会として使用される。
【００４５】
例においては、使用機会にマッチするウォッチフェイススタイルが、前述の使用機会に従って決定され得る。ウォッチフェイススタイルは、ビジネス、漫画、スポーツ、抽象、シンプル、ファッション、ラフ、優美、高貴、エレガント、カジュアルなどを含み得る。
【００４６】
例においては、使用機会と、その使用機会にマッチするウォッチフェイススタイルとが、対応関係にあり得、腕時計１０２内に格納され得る。具体的な対応関係が、表２において示され得る。
【００４７】
【表２】
2019512667.tif 000004
【００４８】
ステップ２０３．  ウォッチフェイススタイルおよび第２のコンテキスト情報に従ってスマートウォッチのウォッチフェイスパターンを提示する。
【００４９】
本発明のこの実施形態においては、ウォッチフェイスパターンは、ウォッチフェイスの最終的な提示形式であり、１つのウォッチフェイスパターンが、１つのウォッチフェイススタイルに対応している。ウォッチフェイススタイルは、ステップ２０２において決定され、ウォッチフェイスパターンはさらに、ウォッチフェイススタイルに従って、および第２のコンテキスト情報を参照して決定される。
【００５０】
本発明のこの実施形態において提供されている第２のコンテキスト情報は、ユーザの着こなし情報を示すために使用される。より具体的には、本発明のこの実施形態において提供されている方法によれば、ウォッチフェイスパターンはさらに、ウォッチフェイススタイルおよびユーザの着こなし情報に従って決定されることが可能である。
【００５１】
例においては、ウォッチフェイススタイルおよび着こなし情報に対応するウォッチフェイスパターンが、プリセット対応関係に従って提示され得る。プリセット対応関係は、ウォッチフェイススタイルおよび着こなし情報の１つの組合せが１つのウォッチフェイスパターンに対応するということを示すために使用される。
【００５２】
特定のウォッチフェイススタイルおよび特定の着こなし情報は、１つのウォッチフェイスパターンに対応している。特定のウォッチフェイススタイル、特定の着こなし情報、およびウォッチフェイスパターンの間における対応関係がプリセットされてデータベース内に格納され得る。ウォッチフェイススタイルが決定された後に、ウォッチフェイスパターンが、プリセット対応関係、ウォッチフェイススタイル、および、第２のコンテキストによって示される着こなし情報に従ってデータベースから入手され、提示され得る。
【００５３】
特に、ウォッチフェイススタイルと着こなし情報との間におけるプリセット対応関係が、表３において示され得る。
【００５４】
【表３−１】
2019512667.tif 000005
【００５５】
【表３−２】
2019512667.tif 000006
【００５６】
例においては、ウォッチフェイススタイルおよび着こなし情報の１つの組合せが、代替として、少なくとも１つのウォッチフェイスパターンに対応し得る。ウォッチフェイススタイル、着こなし情報、およびウォッチフェイスパターンの間における対応関係がプリセットされ得、その対応関係はデータベース内に格納される。ウォッチフェイススタイルおよび着こなし情報に従ってウォッチフェイスパターンが提示される際に、そのウォッチフェイスパターンは、ユーザが選択するために、ウォッチフェイススタイル、着こなし情報、およびウォッチフェイスパターンの間における対応関係に従ってユーザに表示され得る。最後に、ユーザによって選択されたウォッチフェイスパターンが提示される。
【００５７】
例においては、着こなし情報は、衣服のタイプ、衣服の色、衣服上の画像、または衣服のテクスチャのうちの１つまたは複数をさらに含み得る。衣服のタイプは、具体的には、スーツ、シャツ、革靴、ネクタイ、Ｔシャツ、ジーンズ、スポーツシューズなどを含み得、衣服上の画像は、具体的には、花、動物、漫画の画像、ポートレート、キャラクター、抽象画像などを含み得る。ウォッチフェイススタイルが決定された後に、衣服のタイプ、衣服の色、衣服上の画像、または衣服のテクスチャのうちの１つまたは複数が、個別に１つのウォッチフェイスパターンに対応し得、その対応関係はプリセットされ得る。
【００５８】
例においては、ウォッチフェイススタイルおよび着こなし情報が組み合わされ得、決定されたウォッチフェイススタイルおよび決定された着こなし情報が組み合わされて、１つの組合せになり得る。より具体的には、決定されたウォッチフェイススタイルと、衣服のタイプ、衣服の色、衣服上の画像、または衣服のテクスチャのうちの決定された１つまたは複数とが組み合わされて、１つの組合せになり得る。ウォッチフェイススタイルおよび着こなし情報の組合せと、ウォッチフェイスパターンとの間における対応関係がプリセットされ得る。より具体的には、ウォッチフェイスパターンと、ウォッチフェイススタイル、および、衣服のタイプ、衣服の色、衣服上の画像、または衣服のテクスチャのうちの１つまたは複数の組合せとの間において、対応関係がプリセットされ得る。
【００５９】
例においては、プリセット対応関係において、ウォッチフェイススタイルおよび着こなし情報の１つの組合せが、１つのウォッチフェイスパターンに対応し、より具体的には、ウォッチフェイススタイル、および、衣服のタイプ、衣服の色、衣服上の画像、または衣服のテクスチャのうちの１つまたは複数の１つの組合せが、１つのウォッチフェイスパターンに対応する。ウォッチフェイスパターンが提示されつつあるときに、そのウォッチフェイスパターンは、プリセット対応関係に従って直接提示され得る。
【００６０】
例においては、プリセット対応関係において、ウォッチフェイススタイルおよび着こなし情報の１つの組合せが、少なくとも１つのウォッチフェイスパターンに対応し、より具体的には、ウォッチフェイススタイル、および、衣服のタイプ、衣服の色、衣服上の画像、または衣服のテクスチャのうちの１つまたは複数の１つの組合せが、少なくとも１つのウォッチフェイスパターンに対応する。ウォッチフェイスパターンが提示されつつあるときに、少なくとも１つのウォッチフェイスパターンが、ユーザが選択するために、プリセット対応関係に従って最初にユーザに表示され得、次いで、ユーザによって選択されたウォッチフェイスパターンが最終的に提示される。
【００６１】
例においては、着こなし情報は、上着情報、アウターウェア情報、ズボン情報、靴および帽子情報、スカーフ情報、またはアクセサリー情報のうちの１つまたは複数をさらに含み得る。ウォッチフェイススタイルにおいては、上着情報、アウターウェア情報、ズボン情報、靴および帽子情報、スカーフ情報、またはアクセサリー情報のうちの１つまたは複数が、特定のウォッチフェイスパターンに対応し得る。決定されたウォッチフェイススタイルと、上着情報、アウターウェア情報、ズボン情報、靴および帽子情報、スカーフ情報、またはアクセサリー情報のうちの決定された１つまたは複数とが組み合わされて、１つの組合せになり得る。ウォッチフェイススタイル、ならびに、上着情報、アウターウェア情報、ズボン情報、靴および帽子情報、スカーフ情報、またはアクセサリー情報のうちの１つまたは複数の組合せと、ウォッチフェイスパターンとの間における対応関係がプリセットされ得る。
【００６２】
例においては、プリセット対応関係において、ウォッチフェイススタイル、ならびに、上着情報、アウターウェア情報、ズボン情報、靴および帽子情報、スカーフ情報、またはアクセサリー情報のうちの１つまたは複数の１つの組合せが、１つのウォッチフェイスパターンに対応する。ウォッチフェイスパターンが提示されつつあるときに、そのウォッチフェイスパターンは、プリセット対応関係に従って直接提示され得る。
【００６３】
例においては、プリセット対応関係において、ウォッチフェイススタイル、ならびに、上着情報、アウターウェア情報、ズボン情報、靴および帽子情報、スカーフ情報、またはアクセサリー情報のうちの１つまたは複数の１つの組合せが、少なくとも１つのウォッチフェイスパターンに対応する。ウォッチフェイスパターンが提示されつつあるときに、少なくとも１つのウォッチフェイスパターンが、ユーザが選択するために、プリセット対応関係に従って最初にユーザに表示され得、次いで、ユーザによって選択されたウォッチフェイスパターンが最終的に提示される。
【００６４】
ウォッチフェイススタイルが決定された後に、着こなし情報とウォッチフェイスパターンとの間におけるプリセット対応関係が、表４において示され得る。
【００６５】
【表４】
2019512667.tif 000007
【００６６】
例においては、着こなし情報が、複数のタイプの着こなし情報を含む場合に、およびウォッチフェイススタイルが決定された後に、それらの複数のタイプの着こなし情報は、個別にウォッチフェイスパターンに対応する。本発明のこの実施形態において提供されている、ウォッチフェイスを提示するための方法によれば、複数のタイプの着こなし情報に対応する複数のウォッチフェイスパターンが、ユーザが選択するために、ユーザに表示され得、ユーザによって選択されたウォッチフェイスパターンが最終的に提示される。
【００６７】
例においては、本発明のこの実施形態において提供されている方法によれば、上着情報、アウターウェア情報、ズボン情報、靴および帽子情報、スカーフ情報、またはアクセサリー情報などの着こなし情報の優先度レベルがさらに設定され得る。たとえば、着こなし情報の優先度レベルは、次のように、すなわち、上着情報優先度レベル＞アウターウェア優先度レベル＞ズボン優先度レベル＞靴および帽子優先度レベル＞スカーフ優先度レベル＞別のアクセサリー（イヤリング、ブレスレット、ネックレス、または革のベルトなど）の優先度レベルと設定され得る。上着情報、アウターウェア情報、ズボン情報、靴および帽子情報、スカーフ情報、ならびにアクセサリー情報は、個別に１つのウォッチフェイスパターンに対応し、その対応関係はプリセットされ得る。決定されたウォッチフェイススタイルおよび着こなし情報に対応するウォッチフェイスパターンが、プリセット対応関係、および着こなし情報の優先度レベルのシーケンスに従って提示され得る。特定の例に関して、決定されたウォッチフェイススタイルおよび上着情報に対応するウォッチフェイスパターン、決定されたウォッチフェイススタイルおよびアウターウェア情報に対応するウォッチフェイスパターン、決定されたウォッチフェイススタイルおよびズボン情報に対応するウォッチフェイスパターン、決定されたウォッチフェイススタイルならびに靴および帽子情報に対応するウォッチフェイスパターン、決定されたウォッチフェイススタイルおよびスカーフ情報に対応するウォッチフェイスパターン、ならびに決定されたウォッチフェイススタイルおよびアクセサリー情報に対応するウォッチフェイスパターンが、前述の優先度レベルのシーケンスに従って提示され得る。
【００６８】
例においては、ウォッチフェイススタイルおよび着こなし情報に対応するウォッチフェイスパターンが、ユーザが選択するために、着こなし情報の優先度レベル、およびプリセット対応関係に従ってユーザに表示され得、ユーザによって選択されたウォッチフェイスパターンが提示される。
【００６９】
例においては、図５において示されているように、さまざまな着こなし情報の組合せと、ウォッチフェイスパターンとの間における対応関係が、代替としてスマートウォッチ１０２内に事前に格納され得る。入手された着こなし情報の組合せに完全にマッチするウォッチフェイスパターンが格納されていない場合には、入手された着こなし情報の組合せのサブセットが、代替として対応関係内で検索され得る。たとえば、ユーザの入手された着こなし情報が、上着タイプＡ２＋ズボンタイプＢ３＋靴タイプＣ４であり、その着こなしにマッチするウォッチフェイスパターンは格納されていないが、その着こなし情報のサブセット、上着タイプＡ２＋ズボンタイプＢ３に対応するウォッチフェイスパターンがある。したがって、ウォッチフェイスパターン８が提示され得、またはウォッチフェイスパターン８が、好ましい推奨パターンとしてユーザに推奨され得、上着タイプＡ２に対応するウォッチフェイスパターン２、ズボンタイプＢ３に対応するウォッチフェイスパターン５、および靴タイプＣ４に対応するウォッチフェイスパターン６が、ユーザが選択するために、二次的な推奨として順次使用される。次いで、ユーザによって選択されたウォッチフェイスパターンが提示される。
【００７０】
【表５】
2019512667.tif 000008
【００７１】
一般には、衣服の色、衣服上の画像、および衣服のテクスチャは、ウォッチフェイスがより正確に提示されることをさらに可能にし得る。例においては、ウォッチフェイスパターンが、衣服上の画像と同様の画像を含む場合には、そのウォッチフェイスパターンが、優先してユーザに提示または推奨される。表３におけるシーケンス番号７によって示されているように、ユーザの衣服は、漫画テーマ画像のＴシャツであり、優先して提示されるウォッチフェイスパターンは、漫画の画像である。さまざまな色の衣服に関して、それらの衣服にマッチする適切な色のウォッチフェイスパターンがある。たとえば、緑色の衣服は、黒色のウォッチフェイスパターンにマッチし、赤色の衣服は、白色のウォッチフェイスパターンにマッチし、青色の衣服は、黒色のウォッチフェイスパターンにマッチする。衣服のタイプにマッチする複数のタイプのウォッチフェイスパターンがある場合には、衣服の色にマッチするウォッチフェイスパターンが、優先して選択され得る。
【００７２】
本発明のこの実施形態において提供されている、ウォッチフェイスを提示するための方法によれば、コンテキスト情報が入手されることが可能であり、そのコンテキスト情報に従ってウォッチフェイスパターンが決定され、それによってスマートウォッチは、さまざまなシナリオにフレキシブルに適合されること、およびユーザの個人的なスタイルにマッチすることが可能であり、スマートウォッチの使用範囲が広げられ、加えて、ユーザによってさまざまなウォッチフェイスから適切なウォッチフェイスを選択するために費やされる時間が低減され、ウォッチフェイスと使用シナリオとの間におけるマッチング度が改善される。
【００７３】
例においては、第１のコンテキスト情報および第２のコンテキスト情報が入手される前に、本発明のこの実施形態において提供されている方法は、ユーザの個人特徴情報を入手するステップと、その個人特徴情報に従って少なくとも１つのウォッチフェイススタイルおよび／または少なくとも１つのウォッチフェイスパターンを決定するステップとをさらに含む。
【００７４】
例においては、ユーザの個人特徴情報は、ユーザの個人情報を含み得、具体的には、ユーザの性別、年齢、職業、肌の色、体格、個性などを含み得る。一般に、個人情報が変わる確率は低く、したがって、はじめてスマートウォッチ１０２を使用する際に、ユーザは個人情報を設定し得る。
【００７５】
例においては、ユーザの個人特徴情報は、性別を含み得る。ユーザの性別が女性である場合には、選択のために利用可能なウォッチフェイススタイルは、漫画、スポーツ、シンプル、ファッション、優美、高貴、エレガント、カジュアルなどを含む。ユーザの性別が男性である場合には、選択のために利用可能なウォッチフェイススタイルは、ビジネス、漫画、スポーツ、抽象、シンプル、ファッション、ラフ、カジュアルなどを含む。
【００７６】
例においては、ユーザの個人特徴情報は、年齢を含み得る。ユーザが１０から２０歳の間である場合には、選択のために利用可能なウォッチフェイススタイルは、漫画、ファッションなどを含む。ユーザが１５から２５歳の間である場合には、選択のために利用可能なウォッチフェイススタイルは、ファッション、スポーツ、シンプル、カジュアルなどを含む。ユーザが２５から３５歳の間である場合には、選択のために利用可能なウォッチフェイススタイルは、ビジネス、ファッション、スポーツ、抽象、シンプル、ラフ、優美、エレガント、高貴、カジュアルなどを含む。ユーザが３５から４５歳の間である場合には、選択のために利用可能なウォッチフェイススタイルは、ビジネス、シンプル、抽象、スポーツ、ファッション、ラフ、エレガント、高貴などを含む。
【００７７】
例においては、ユーザの個人特徴情報は、ユーザの体格を含み得、体格は、身長および体重情報を入力することによって計算され得る。ユーザの体格がたくましい場合には、適切なウォッチフェイススタイルは、ラフ、スポーツ、抽象などを含む。ユーザの体格がやせ型である場合には、適切なウォッチフェイススタイルは、シンプル、優美、カジュアル、エレガント、高貴などを含む。ユーザの体格が小柄である場合には、適切なウォッチフェイススタイルは、シンプル、優美、カジュアルなどを含む。
【００７８】
例においては、ユーザの個人特徴情報は、個性を含み得る。ユーザが優しい場合には、適切なウォッチフェイススタイルは、優美などを含む。ユーザが率直である場合には、適切なウォッチフェイススタイルは、シンプル、ラフなどを含む。ユーザが衝動的である場合には、適切なウォッチフェイススタイルは、抽象などを含む。ユーザが穏やかである場合には、適切なウォッチフェイススタイルは、クラシックを含む。
【００７９】
例においては、ユーザの個人特徴情報は、肌の色を含み得る。ユーザの肌の色が黄色である場合には、適切なウォッチフェイスカラーは、ピンク、青色、赤色などを含む。ユーザが色白である場合には、適切なウォッチフェイスカラーは、ピンク、青色、赤色、黄色／金色、茶色などを含む。ユーザが色黒である場合には、適切なウォッチフェイスカラーは、青色、黒色、白色／銀色、ライトグリーンなどを含む。
【００８０】
例においては、ユーザの個人特徴情報は、情報の正確さを確実にするためにユーザによって手動で入力される。ユーザは、１つまたは複数の個人情報アイテムを設定し得、ウォッチフェイススタイルおよびウォッチフェイスパターンが第１のコンテキスト情報および第２のコンテキスト情報に従って提示される前に、ウォッチフェイススタイルおよび／またはウォッチフェイスパターンは最初に、ユーザによって設定または入力された個人特徴情報に従って、対応する範囲において提示または選択され得る。
【００８１】
例においては、第１のコンテキスト情報に従ってウォッチフェイススタイルを決定するステップは、個人情報に従って決定される少なくとも１つのウォッチフェイススタイルから、ウォッチフェイススタイルを第１のコンテキスト情報に従ってさらに決定するステップを特に含む。
【００８２】
例においては、ウォッチフェイススタイルおよび第２のコンテキスト情報に従ってウォッチフェイスパターンを提示するステップは、個人情報に従って決定された少なくとも１つの色付きのウォッチフェイスパターンから、ウォッチフェイスパターンをウォッチフェイススタイルおよび第２のコンテキスト情報に従って決定および提示するステップを特に含む。
【００８３】
例においては、さらに、スマートウォッチ１０２のさまざまなユーザのさまざまな個人情報、ならびに／またはスマートウォッチ１０２のさまざまなユーザによってさまざまな機会において、および／もしくはさまざまな着こなしで選択されたウォッチフェイスに関する情報が絶えず記録され得る。新たな推奨の必要性がある場合には、ウォッチフェイスに関する記録された情報に従ってウォッチフェイスパターンが提示または推奨される。
【００８４】
例においては、ウォッチフェイスに関する記録された情報に従ってウォッチフェイスパターンが推奨される際には、前述の条件のうちの１つまたは複数が必要とされ得、または第１のコンテキスト情報もしくは第２のコンテキスト情報は、考慮されなくてもよい。
【００８５】
例においては、何の条件も考慮されないということは、ウォッチフェイスパターンが何回使用されるかに従ってのみ推奨が実行されるということを意味し、たとえば、ウォッチフェイスパターンＡが最も高い頻度で使用されている場合には、ウォッチフェイスパターンＡが優先して提示されるか、またはウォッチフェイスパターンＡが優先して推奨される。
【００８６】
例においては、ユーザが機会ａにある場合にそのユーザによってウォッチフェイスパターンＢが最も頻繁に選択されているということも、統計結果に従って決定され得る。次いで、ユーザの現在の機会が機会ａである場合には、ウォッチフェイスパターンＢが優先して提示されるか、またはウォッチフェイスパターンＢが優先して推奨される。
【００８７】
例においては、ユーザが着こなしｂでいる場合にそのユーザによってウォッチフェイスパターンＣが最も頻繁に選択されているということも、統計結果に従って決定され得る。次いで、ウォッチフェイスパターンＣが優先して提示されるか、またはそのウォッチフェイスパターンが優先して推奨される。
【００８８】
例においては、ユーザが使用機会ａにあって着こなしｂでいる場合にそのユーザによってウォッチフェイスＤが最も頻繁に選択されているということも、統計結果に従って決定され得る。次いで、ユーザが機会ａにあって着こなしｂでいる場合には、ウォッチフェイスパターンＤが優先して提示されるか、またはウォッチフェイスパターンＤが優先して推奨される。
【００８９】
例においては、１つまたは複数の個人情報特徴に対応するユーザも、統計結果に従って決定され得る。システムが、スマートウォッチを使用するユーザを分類し、特定の分類のユーザによってウォッチフェイスパターンが選択される頻度に関する統計を収集し得る。たとえば、２５歳のオフィスレディーたちによって好まれているウォッチフェイスパターンＥが、このグループにおいて最も頻繁に選択されているならば、新たなユーザが同様の特徴を有する場合には、そのユーザに対して優先してウォッチフェイスパターンＥが提示され得、またはウォッチフェイスパターンＥが推奨され得る。
【００９０】
本発明のこの実施形態において提供されている、ウォッチフェイスを提示するための方法によれば、第１のコンテキスト情報および第２のコンテキスト情報が検知および／または受信されることが可能であり、第１のコンテキスト情報に従ってウォッチフェイススタイルが決定されることが可能であり、次いで第２のコンテキスト情報を参照してウォッチフェイスパターンが提示される。この方法においては、ウォッチフェイスパターンを自動的に提示するプロセスが最適化され、ウォッチフェイススタイル、ウォッチフェイスパターン、および使用シナリオの間における適合度が改善され、ユーザによってウォッチフェイスパターンを選択するために費やされる時間およびエネルギーが低減される。
【００９１】
本発明の実施形態はさらに、スマートウォッチのウォッチフェイスを提示するための別の方法を提供する。この別の方法は、スマートウォッチ１０２によって実行され、この方法は、ユーザの好み情報、および少なくとも１人の別のユーザのウォッチフェイスパターンを検知または受信するステップであって、ユーザの好み情報は、少なくとも１人の別のユーザのウォッチフェイスパターンと同じウォッチフェイスパターンを有することをユーザが好むかどうかを示すために使用され、少なくとも１人の別のユーザは、ユーザのソーシャルメディア友達、ユーザによってフォローされているソーシャルメディアオブジェクト、または近くのユーザのうちの１人または複数を含む、ステップと、少なくとも１人の別のユーザのウォッチフェイスパターンの１つをユーザの好み情報に従って提示するステップとを含む。
【００９２】
例においては、ユーザは、個性に欠けていてトレンドを追いかけていることがあり、またはユーザは、誰かと同じ嗜好を表明することを望み、またはユーザは、友達のウォッチフェイスパターンを非常に好み、ウォッチフェイスパターンを、友達のウォッチフェイスパターンと同じウォッチフェイスパターンに変更したいと望む。したがって、ユーザの好み情報は、別のユーザのスマートウォッチのウォッチフェイスパターンを提示することであり得る。
【００９３】
例においては、別のユーザは、ソーシャルメディア上でユーザによってフォローされている友達を含み得る。具体的には、フォローされている友達に関する情報が、スマートウォッチ１０２またはインテリジェント端末１０１にインストールされているソーシャルメディアアプリケーションから入手され得る。ソーシャルメディア上でフォローされている友達は、実生活におけるユーザの友達、スター、または別の有名人であり得る。友達によって使用されているスマートウォッチのウォッチフェイスパターンが入手された場合には、そのウォッチフェイスパターンが、次いで提示され得る。特定の例に関して、ユーザは、新浪微博上でスターＡをフォローしており、スターＡは最近、スマートウォッチのウォッチフェイスパターンＮａｖｉｔｉｍｅｒを使用している。ユーザのスマートウォッチ１０２が、スターＡによって最近使用されているスマートウォッチのウォッチフェイスパターンを入手した後には、提示されるウォッチフェイスパターンは、ウォッチフェイスＮａｖｉｔｉｍｅｒである。
【００９４】
例においては、本発明のこの実施形態において提供されている、ウォッチフェイスを提示するための方法によれば、ユーザのソーシャルメディア情報が入手されることが可能であり、それにより、そのユーザによってフォローされているユーザによって着用されているスマートウォッチのウォッチフェイスパターンが入手され、そのウォッチフェイスパターンが提示される。例においては、ウォッチフェイス管理アプリケーションが、インテリジェント端末１０１またはスマートウォッチ１０２にインストールされており、ウォッチフェイス管理アプリケーションは、ユーザのソーシャルメディアアカウントを使用することによってユーザがログインすることを承認し得る。ソーシャルメディアアカウントは、ＱＱアカウント、新浪微博アカウント、ＷｅＣｈａｔアカウント、インテリジェント端末１０１またはスマートウォッチ１０２の製造業者のクラウドアカウント（Ａｐｐｌｅアカウント、Ｈｕａｗｅｉアカウント、またはＭｉアカウント等）などであり得る。
【００９５】
例においては、ソーシャルメディアプラットフォーム上で、現在のユーザが、ユーザＡ、Ｂ、およびＣをフォローしている。ユーザＡ、Ｂ、およびＣは、ソーシャルメディアアカウントを使用することによって、ユーザＡ、Ｂ、およびＣによって使用されるインテリジェント端末またはスマートウォッチにインストールされているウォッチフェイス管理アプリケーションにログインし得、ソーシャルメディアプラットフォームは、ユーザＡ、Ｂ、およびＣによって使用されているスマートウォッチのウォッチフェイスパターンＡ、Ｂ、およびＣを入手し得る。図３において示されているように、現在のユーザが、ソーシャルメディアアカウントを使用することによって、現在のユーザによって使用されるインテリジェント端末１０１またはスマートウォッチ１０２上のウォッチフェイス管理アプリケーションにログインすることもできる場合には、ウォッチフェイス管理アプリケーションは、ソーシャルメディアプラットフォーム上でユーザＡ、Ｂ、およびＣのスマートウォッチのウォッチフェイスパターンＡ、Ｂ、およびＣを入手し、そのウォッチフェイスパターンを、現在のユーザが選択および決定するために現在のユーザに推奨し得、選択されたウォッチフェイスパターンが、現在のユーザのスマートウォッチ１０２上に表示される。代替として、ウォッチフェイス管理アプリケーションは、ウォッチフェイスパターンＡ、Ｂ、およびＣのうちの１つ、たとえばウォッチフェイスパターンＡを、決定されたウォッチフェイスパターンであるとして直接設定し、その決定されたウォッチフェイスパターンが、現在のユーザのスマートウォッチ上に提示される。
【００９６】
例においては、図４において示されているように、現在のユーザによって使用されるインテリジェント端末１０１またはスマートウォッチ１０２上のウォッチフェイス管理アプリケーションを使用することによって、現在のユーザによってフォローされている友達の基本的な情報、たとえば、ユーザＡの基本的な情報が表示され得る。その基本的な情報は、ユーザＡによって使用されているスマートウォッチのウォッチフェイスパターンの識別子を含み得、現在のユーザは、ユーザＡのウォッチフェイスパターンの識別子を選択し得る。ウォッチフェイス管理アプリケーションは、対応するウォッチフェイスパターンファイルを、現在のユーザが選択および決定するために、現在のユーザのインテリジェント端末１０１またはスマートウォッチ１０２のディスプレイインターフェースへプッシュし得、次いで、選択されたウォッチフェイスパターンが、現在のユーザのスマートウォッチ１０１上に表示されるか、またはウォッチフェイス管理アプリケーションは、ユーザＡのウォッチフェイスパターンを、決定されたウォッチフェイスパターンであるとして直接設定し、その決定されたウォッチフェイスパターンが、現在のユーザのスマートウォッチ１０２上に提示される。
【００９７】
例においては、近くの範囲内の別のユーザのスマートウォッチのウォッチフェイス情報が、Ｂｌｕｅｔｏｏｔｈ、Ｗｉ−Ｆｉ、またはＮＦＣなどの短距離通信様式で検知され得る。検知されたウォッチフェイスパターンに従って、ウォッチフェイスパターンの変更が実行される。
【００９８】
例においては、別のユーザのスマートウォッチの前述のウォッチフェイスパターンが、ユーザが選択するために、候補ウォッチフェイスパターンとしてユーザに表示され得る。次いで、ユーザの選択に従ってウォッチフェイスパターンが決定され、その決定されたウォッチフェイスパターンが提示される。
【００９９】
例においては、ユーザの好み情報は、ユーザのプリセッティングに従って入手され得、たとえば、ユーザの個性を示さないことをユーザが好む場合には、「近くの腕時計のウォッチフェイスと同じウォッチフェイスを提示する」もしくは「ソーシャル友達のウォッチフェイスと同じウォッチフェイスを提示する」、または同様の含意を伴う別のオプションがプリセットされ得る。別のユーザのスマートウォッチのウォッチフェイスパターンを入手した後に、ユーザによって使用されているスマートウォッチは、別のユーザのスマートウォッチのその入手されたウォッチフェイスパターンを、ユーザによって使用されているスマートウォッチによって入手されたコンテキスト情報に従って提示する。
【０１００】
例においては、本発明のこの実施形態において提供されている、ウォッチフェイスを提示するための方法は、代替として、図５において示されているようなものであり得る。ユーザは、スマートウォッチ１０２の管理プログラムにおいて、近くの匿名のユーザＡによって使用されているスマートウォッチのウォッチフェイスパターン５０１を見ることができる。たとえば、図５におけるオペレーションメニュー５０２を使用することによって、変更オペレーションを実行することにより、ユーザは、ユーザのウォッチフェイスパターンを匿名のユーザＡのウォッチフェイスパターン５０１に変更し得、またはウォッチフェイスパターンが、匿名のユーザＡのスマートウォッチのウォッチフェイスパターン５０１に自動的に変更され得る。
【０１０１】
例においては、ユーザは、ユーザの個性を示すことを好み、ユーザのウォッチフェイスパターンが別のユーザのウォッチフェイスパターンとは異なることを期待している。ユーザのスマートウォッチによって入手されるコンテキスト情報内に含まれるユーザの好み情報は、「近くの腕時計のウォッチフェイスとは異なるウォッチフェイスを提示する」、または「ソーシャル友達のウォッチフェイスとは異なるウォッチフェイスを提示する」、または同様の含意を伴うオプションであり得る。次いでスマートウォッチは、コンテキスト情報に従って、別のユーザのウォッチフェイスパターンと同じウォッチフェイスパターンを提示することを回避する。
【０１０２】
例においては、ユーザは、２つの異なるタイプの好み情報を同時にプリセットし得、ユーザは、スマートウォッチ１０２を使用しているときに任意の時点で好み情報を変更する。たとえば、匿名のユーザＡのスマートウォッチのウォッチフェイスパターンなど、近くのウォッチフェイスパターンのみがユーザに表示される。図５において示されているように、ユーザは、ウォッチフェイスパターンを匿名のユーザＡのスマートウォッチのウォッチフェイスパターンに変更することを選択し得るか、もしくはクラシックなウォッチフェイスパターンを選択し得るか、またはユーザは、さらなるウォッチフェイスパターンを入手するためにオペレーションメニューアイテム「さらに見る」５０３をクリックして、匿名のユーザＡのスマートウォッチのウォッチフェイスパターンとは異なるウォッチフェイスパターンを選択し得る。
【０１０３】
図６において示されているように、本発明の特定の実施形態においては、本発明において提供されている、スマートウォッチのウォッチフェイスを提示するための方法について記述するために特定の例が使用されており、この方法は、スマートウォッチ１０２によって実行される。
【０１０４】
ステップ６０１．  第１のコンテキスト情報および第２のコンテキスト情報を定期的に入手する。スマートウォッチは、時刻、インテリジェント端末１０１またはスマートウォッチ１０２の測位システムを使用することによって入手される現在のユーザロケーション、インテリジェント端末１０１またはスマートウォッチ１０２のカメラシステムを使用することによって入手されるユーザの近くの環境の写真およびユーザの着こなしの写真、インテリジェント端末１０１またはスマートウォッチ１０２のセンサシステムによって入手される現在のユーザアクションなどを含む第１のコンテキスト情報および第２のコンテキスト情報をプリセットインターバルで定期的に入手し得る。
【０１０５】
ステップ６０２．  ステップ６０１において入手された第１のコンテキスト情報に従ってスマートウォッチの現在の使用機会、たとえば、仕事のミーティング、スポーツおよびフィットネス、誕生日パーティー、またはカジュアル旅行を決定する。このステップは、スマートウォッチ１０２によって独立して実施され得、またはスマートウォッチ１０２と、スマートウォッチ１０２に接続されているスマートフォン１０１とによって協調して実施され得る。特に、使用機会は、シンプルなルールマッチング様式で、またはよりインテリジェントに決定され得、マシン学習アルゴリズムを使用することによって決定され得、たとえば、第１のコンテキスト情報を含む量のトレーニングデータセットと、現在の使用機会のラベルとを使用することによって、それぞれの使用機会Ａに関して１つの機会モデルＭが確立され、第１のコンテキスト情報のグループＳが入手された場合には、ＳがモデルＭに入力され、Ｍの出力が、現在の使用機会が使用機会Ａであるかどうかの決定結果である。さらに、システムが、絶えず入手されるコンテキスト情報および機会ラベル情報を使用することによって機会モデルを学習および更新することができ、それによって、使用機会認識の正確度が改善される。
【０１０６】
ステップ６０３．  ステップ６０２において決定された現在の使用機会が、最後の瞬間に決定された使用機会と同じであるかどうかを決定する。ステップ６０２において決定された現在の使用機会が、最後の瞬間に決定された使用機会と同じである場合、すなわち、現在認識されている使用機会が、最後の瞬間に認識された使用機会から変わっていない場合には、その後のウォッチフェイスパターン変更オペレーションが実行される必要はなく、ステップ６０１が引き続き実行されて、第１のコンテキスト情報および第２のコンテキスト情報を定期的に入手し、そうでない場合には、ステップ６０４が実行される。
【０１０７】
ステップ６０４．  決定された現在の使用機会に従ってウォッチフェイススタイルを決定する。
【０１０８】
ステップ６０５．  ユーザの着こなしの写真など、入手された第２のコンテキスト情報に従ってユーザの現在の着こなし情報を認識する。
【０１０９】
ステップ６０６．  ウォッチフェイススタイルおよびユーザの着こなし情報に従ってウォッチフェイスパターンを提示する。
【０１１０】
本発明のこの実施形態において提供されている、ウォッチフェイスを提示するための方法によれば、現在のシナリオに適しているウォッチフェイスが、ユーザの現在の特徴情報に従って自動的に提示されることが可能であり、それにより、ユーザによってウォッチフェイスを選択するために費やされる時間が低減され、ウォッチフェイスと現在のシナリオとの間における適合度が改善される。
【０１１１】
本発明の別の特定の実施形態においては、３５歳のオフィスレディーが日常の仕事を行っており、これは、本発明のこの実施形態において提供されている、スマートウォッチのウォッチフェイスを提示するための方法について詳細に記述するための例として使用されている。
【０１１２】
はじめに腕時計を設定する際に、ユーザは、個人情報、たとえば、性別：  女性、年齢：  ３５、身長：  １６０ｃｍ、体重：  ５５ｋｇ、および職業：  会社員を入力する。
【０１１３】
このユーザの性別は女性であるので、選択のために利用可能なウォッチフェイススタイルは、漫画、スポーツ、シンプル、ファッション、優美、高貴、エレガント、カジュアルなどを含む。
【０１１４】
このユーザは２５から３５歳の間であるので、選択のために利用可能なウォッチフェイススタイルは、ビジネス、ファッション、スポーツ、抽象、シンプル、ラフ、優美、エレガント、高貴、カジュアルなどを含む。
【０１１５】
このユーザは体格がやせ型であるので、選択のために利用可能なウォッチフェイススタイルは、シンプル、優美、カジュアル、エレガント、高貴などを含む。
【０１１６】
このユーザの職業は会社員であるので、選択のために利用可能なウォッチフェイススタイルは、ビジネス、漫画、スポーツ、抽象、シンプル、ファッション、ラフ、優美、エレガント、カジュアルなどを含む。
【０１１７】
ユーザによって入力された個人情報が全体として考慮に入れられた場合には、このユーザに適しているウォッチフェイススタイルは、シンプル、優美、カジュアル、およびエレガントを含む。
【０１１８】
スマートウォッチ１０２またはインテリジェント端末１０１の測位システムによって入手された、このユーザの現在のロケーション情報は会社であり、現在時刻は午前９：００であり、そしてこのユーザの現在の使用機会は、日常の仕事時と認識されており、日常の仕事の機会に対応するウォッチフェイススタイルは、ビジネスおよびシンプルである。ユーザによって入力された個人特徴情報と、使用機会情報とに全体として従って決定されたウォッチフェイススタイルによれば、シンプルが、このユーザに現在最も適しているウォッチフェイススタイルとして決定される。
【０１１９】
ユーザは、スマートウォッチ１０２またはインテリジェント端末１０１のカメラを使用することによってセルフィーを撮影し、青色のドレスおよびシルクストッキング（表３におけるシーケンス番号３を参照されたい）が、ユーザの現在の着こなしとして認識され、黒色のウォッチフェイスパターンが、このユーザに現在最も適しているウォッチフェイスパターンとして決定される。
【０１２０】
最後に、シンプルスタイルでの３つの黒色のウォッチフェイスパターンＡ、Ｂ、およびＣが選別されて、ユーザが選択するために、ユーザに表示される。ユーザは、それらの３つのウォッチフェイスパターンからウォッチフェイスパターンＢを選択し、ウォッチフェイスパターンが変わって、パターンＢになる。このユーザがかつてウォッチフェイスパターンＡを複数回にわたって選択しているということが記録されている場合には、ウォッチフェイスパターンＡがこのユーザによって好まれているということが考えられ得、したがってシステムは、ウォッチフェイスパターンＡを、ユーザが選択するためにデフォルトの推奨ウォッチフェイスパターンとして優先してユーザに表示し得、またはウォッチフェイスパターンＡが直接決定および提示され得る。
【０１２１】
本発明のこの実施形態において提供されている、スマートウォッチのウォッチフェイスを提示するための方法によれば、現在のシナリオに適しているウォッチフェイスが、ユーザの個人特徴情報および現在の特徴情報に従って自動的に提示されることが可能であり、それにより、ユーザによってウォッチフェイスを選択するために費やされる時間が低減され、ウォッチフェイス、現在のシナリオ、および個人特徴の間における適合度が改善される。
【０１２２】
本発明の実施形態は、本発明の実施形態において提供されている、および前述の内容において記述されている、ウォッチフェイスを提示するための方法を実行するように構成されている、スマートウォッチのウォッチフェイスを提示するための装置を提供する。図７において示されているように、この装置は、第１のコンテキスト情報および第２のコンテキスト情報を検知および／または受信するステップであって、第１のコンテキスト情報は、スマートウォッチのウォッチフェイススタイルを決定するために使用され、第２のコンテキスト情報は、ユーザの着こなし情報を示すために使用される、ステップを行うように構成されている検知ユニット７０１および／または受信ユニット７０２と、検知ユニットによって検知される、および／または受信ユニットによって受信される第１のコンテキスト情報に従ってスマートウォッチのウォッチフェイススタイルを決定するステップを行うように構成されている決定ユニット７０３と、決定ユニットによって決定された、スマートウォッチのウォッチフェイススタイル、ならびに検知ユニットによって検知される、および／または受信ユニットによって受信される第２のコンテキスト情報に従ってスマートウォッチのウォッチフェイスパターンを提示するステップを行うように構成されている提示ユニット７０４とを含む。
【０１２３】
この装置の機能ユニットの別の機能に関しては、前述の内容における、ウォッチフェイスを提示するための方法についての関連した説明に対して参照が行われ得る。詳細がここで繰り返されることはない。
【０１２４】
本発明のこの実施形態において提供されている、スマートウォッチのウォッチフェイスを提示するための装置によれば、現在のシナリオに適しているウォッチフェイスが、ユーザの個人特徴情報および現在の特徴情報に従って自動的に提示されることが可能であり、それにより、ユーザによってウォッチフェイスを選択するために費やされる時間が低減され、ウォッチフェイス、現在のシナリオ、および個人特徴の間における適合度が改善される。
【０１２５】
本発明のこの実施形態において提供されている装置およびスマートウォッチによれば、第１のコンテキスト情報および第２のコンテキスト情報が検知および／または受信されることが可能であり、第１のコンテキスト情報に従ってウォッチフェイススタイルが決定されることが可能であり、次いで第２のコンテキスト情報を参照してウォッチフェイスパターンが提示される。この方法においては、ウォッチフェイスパターンを自動的に提示するプロセスが最適化され、ウォッチフェイススタイル、ウォッチフェイスパターン、および使用シナリオの間における適合度が改善され、ユーザによってウォッチフェイスパターンを選択するために費やされる時間およびエネルギーが低減される。
【０１２６】
本発明の実施形態はさらに、本発明の実施形態において提供されている、および前述の内容において記述されている、ウォッチフェイスを提示するための別の方法を実行するように構成されている、スマートウォッチのウォッチフェイスを提示するための別の装置を提供する。図８において示されているように、この装置は、ユーザの好み情報、および少なくとも１人の別のユーザのウォッチフェイスパターンを検知または受信するステップであって、ユーザの好み情報は、少なくとも１人の別のユーザのウォッチフェイスパターンと同じウォッチフェイスパターンを有することをユーザが好むかどうかを示すために使用され、少なくとも１人の別のユーザは、ユーザのソーシャルメディア友達、ユーザによってフォローされているソーシャルメディアオブジェクト、または近くのユーザのうちの１人または複数を含む、ステップを行うように構成されている検知ユニット８０１および／または受信ユニット８０２と、少なくとも１人の別のユーザのウォッチフェイスパターンの１つをユーザの好み情報に従って提示するステップを行うように構成されている提示ユニット８０３とを含む。
【０１２７】
この装置の有益な効果に関しては、前述の方法によってもたらされる有益な効果に対して参照が行われ得る。繰り返される内容が再び記述されることはない。
【０１２８】
本発明の実施形態はさらに、図９において示されているように、本発明の実施形態において提供されている、スマートウォッチのウォッチフェイスを提示するための前述の方法を実施するように構成されているスマートウォッチを提供する。
【０１２９】
図９は、本発明のこの実施形態に関連した、スマートウォッチの部分構造のブロック図である。このスマートウォッチは、トランシーバ回路９１０、メモリ９３０、別の入力デバイス９６０、ディスプレイスクリーン９８０、センサ９７０、Ｉ／Ｏサブシステム９５０、プロセッサ９２０、および電源９４０などの部分を含む。別の入力デバイス９６０は、ユーザ音声入力装置、ユーザオペレーション入力装置などをさらに含み得る。センサ９７０は、測位装置、カメラ装置、アクションセンサ装置などをさらに含み得る。
【０１３０】
図９において示されているスマートウォッチ構造は、スマートウォッチ上の限定を構成するものではなく、このスマートウォッチは、図において示されているものよりも多くの部分もしくは少ない部分、またはいくつかの部分の組合せ、またはいくつかの部分の分割、または異なって配置された部分を含み得るということを当業者なら理解し得る。
【０１３１】
トランシーバ回路９１０は、第１のコンテキスト情報および第２のコンテキスト情報を受信するように構成され得、別の入力デバイス９６０およびセンサ９７０は、第１のコンテキスト情報および第２のコンテキスト情報を検知するように構成され得る。第１のコンテキスト情報は、スマートウォッチのウォッチフェイススタイルを決定するために使用され、第２のコンテキスト情報は、ユーザの着こなし情報を示すために使用される。プロセッサ９２０はさらに、第１のコンテキスト情報に従ってスマートウォッチのウォッチフェイススタイルを決定し、そのウォッチフェイススタイルおよび第２のコンテキスト情報に従って、ディスプレイスクリーン９８０がスマートウォッチのウォッチフェイスパターンを提示することを可能にするように構成され得る。
【０１３２】
前述の機能部分の別の好ましい機能に関しては、前述の内容において記述されている、本発明の実施形態において提供されている、スマートウォッチのウォッチフェイスを提示するための方法における受信プロセスに対して参照が行われ得る。詳細がここで繰り返されることはない。
【０１３３】
本発明の実施形態はさらに、図１０において示されているように、本発明の実施形態において提供されている、スマートウォッチのウォッチフェイスを提示するための前述の別の方法を実施するように構成されている別のスマートウォッチを提供する。
【０１３４】
図１０は、本発明のこの実施形態に関連した、スマートウォッチの部分構造のブロック図である。このスマートウォッチは、トランシーバ回路１０１０、メモリ１０３０、別の入力デバイス１０６０、ディスプレイスクリーン１０８０、センサ１０７０、Ｉ／Ｏサブシステム１０５０、プロセッサ１０２０、および電源１０４０などの部分を含む。別の入力デバイス１０６０は、ユーザ音声入力装置、ユーザオペレーション入力装置などをさらに含み得る。センサ１０７０は、測位装置、カメラ装置などをさらに含み得る。
【０１３５】
図１０において示されているスマートウォッチ構造は、スマートウォッチ上の限定を構成するものではなく、このスマートウォッチは、図において示されているものよりも多くの部分もしくは少ない部分、またはいくつかの部分の組合せ、またはいくつかの部分の分割、または異なって配置された部分を含み得るということを当業者なら理解し得る。
【０１３６】
トランシーバ回路１０１０は、ユーザの好み情報、および少なくとも１人の別のユーザのウォッチフェイスパターンを受信するように構成され得、別の入力デバイス１０６０およびセンサ１０７０は、ユーザの好み情報、および少なくとも１人の別のユーザのウォッチフェイスパターンを検知するように構成され得る。ユーザの好み情報は、少なくとも１人の別のユーザのウォッチフェイスパターンと同じウォッチフェイスパターンを有することをユーザが好むかどうかを示すために使用され、少なくとも１人の別のユーザは、ユーザのソーシャルメディア友達、ユーザによってフォローされているソーシャルメディアオブジェクト、または近くのユーザのうちの１人または複数を含む。ディスプレイスクリーン１０８０は、少なくとも１人の別のユーザのウォッチフェイスパターンの１つをユーザの好み情報に従って提示するように構成され得る。
【０１３７】
前述の機能部分の別の好ましい機能に関しては、前述の内容において記述されている、本発明の実施形態において提供されている、スマートウォッチのウォッチフェイスを提示するための別の方法における受信プロセスに対して参照が行われ得る。詳細が本明細書で繰り返されることはない。
【０１３８】
本明細書において開示されている実施形態において記述されている例と組み合わせて、電子ハードウェア、コンピュータソフトウェア、またはそれらの組合せを使用することによって、ユニットおよびアルゴリズムステップが実施されることが可能であるということに当業者ならさらに気づき得る。ハードウェアとソフトウェアとの間における互換性について明確に記述するために、前述の内容は、それぞれの例の構成およびステップを機能に従って一般的に記述している。機能が、ハードウェアを使用することによって実行されるか、またはソフトウェアを使用することによって実行されるかは、技術的なソリューションの特定の用途および設計制約条件に依存する。当業者なら、記述されている機能をそれぞれの特定の用途に関して実施するためにさまざまな方法を使用し得るが、その実施は本発明の範囲を超えているとみなされるべきではない。
【０１３９】
実施形態の前述の方法のそれぞれにおけるステップのうちのすべてまたは一部は、プロセッサに指示するプログラムによって実施され得るということを当技術分野における標準的な技術者なら理解し得る。前述のプログラムは、コンピュータ可読記録媒体内に格納され得る。その記録媒体は、非一時的（ｎｏｎ−ｔｒａｎｓｉｔｏｒｙ）メディア、たとえば、ランダムアクセスメモリ、読み取り専用メモリ、フラッシュメモリ、ハードディスク、ソリッドステートドライブ、磁気テープ（ｍａｇｎｅｔｉｃ  ｔａｐｅ）、フロッピーディスク（ｆｌｏｐｐｙ  ｄｉｓｋ）、光ディスク（ｏｐｔｉｃａｌ  ｄｉｓｃ）、またはそれらの任意の組合せであり得る。
【０１４０】
前述の特定の実装形態においては、本発明の目的、技術的なソリューション、および利点が詳細にさらに記述されている。前述の説明は、本発明の特定の実装形態にすぎず、本発明の保護範囲を限定することを意図されているものではないということを理解されたい。本発明の原理から逸脱することなく作成されるいかなる修正形態、均等な代替形態、または改良形態も、本発明の保護範囲内に収まるものとする。
【図１】
2019512667.tif 000009
【図２】
2019512667.tif 000010
【図３】
2019512667.tif 000011
【図４】
2019512667.tif 000012
【図５】
2019512667.tif 000013
【図６】
2019512667.tif 000014
【図７】
2019512667.tif 000015
【図８】
2019512667.tif 000016
【図９】
2019512667.tif 000017
【図１０】
2019512667.tif 000018
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
スマートウォッチのウォッチフェイスを提示するための方法であって、
第１のコンテキスト情報および第２のコンテキスト情報を検知および／または受信するステップであって、前記第１のコンテキスト情報は、前記スマートウォッチのウォッチフェイススタイルを決定するために使用され、前記第２のコンテキスト情報は、ユーザの着こなし情報を示すために使用される、ステップと、
前記第１のコンテキスト情報に従って前記スマートウォッチの前記ウォッチフェイススタイルを決定するステップと、
前記ウォッチフェイススタイルおよび前記第２のコンテキスト情報に従って前記スマートウォッチのウォッチフェイスパターンを提示するステップと
を含む方法。
【請求項２】
前記第１のコンテキスト情報は、前記ユーザのロケーション情報、前記ユーザの現在時刻情報、アクション情報、アジェンダ情報、音声情報、ソーシャルメディア情報、またはオペレーション命令情報のうちの１つまたは複数を含み、
前記第１のコンテキスト情報に従って前記スマートウォッチの前記ウォッチフェイススタイルを決定する前記ステップは、
前記第１のコンテキスト情報に従って前記ユーザの使用機会を決定するステップと、
前記使用機会に従って前記スマートウォッチの前記ウォッチフェイススタイルを決定するステップと
を特に含む請求項１に記載の方法。
【請求項３】
前記ウォッチフェイススタイルおよび前記第２のコンテキスト情報に従って前記スマートウォッチのウォッチフェイスパターンを提示する前記ステップは、
プリセット対応関係に従って、前記ウォッチフェイススタイルおよび前記着こなし情報に対応するウォッチフェイスパターンを提示するステップであって、前記プリセット対応関係は、前記ウォッチフェイススタイルおよび前記着こなし情報の１つの組合せが１つのウォッチフェイスパターンに対応することを示すために使用される、ステップを特に含む請求項１または２に記載の方法。
【請求項４】
前記着こなし情報は、上着情報、アウターウェア情報、ズボン情報、靴および帽子情報、スカーフ情報、またはアクセサリー情報のうちの１つまたは複数を特に含む請求項３に記載の方法。
【請求項５】
プリセット対応関係に従って、前記ウォッチフェイススタイルおよび前記着こなし情報に対応するウォッチフェイスパターンを提示する前記ステップの前に、
上着情報、アウターウェア情報、ズボン情報、靴および帽子情報、スカーフ情報、またはアクセサリー情報のうちの前記１つまたは複数の優先度レベルを設定するステップをさらに含み、
プリセット対応関係に従って、前記ウォッチフェイススタイルおよび前記着こなし情報に対応するウォッチフェイスパターンを提示する前記ステップは、
前記プリセット対応関係、および前記優先度レベルのシーケンスに従って、前記ウォッチフェイススタイルおよび前記着こなし情報に対応する前記ウォッチフェイスパターンを提示するステップを特に含む請求項４に記載の方法。
【請求項６】
前記ウォッチフェイススタイルおよび前記第２のコンテキスト情報に従って前記スマートウォッチのウォッチフェイスパターンを提示する前記ステップは、
プリセット対応関係に従って、前記ユーザが選択するために、前記ウォッチフェイススタイルおよび前記着こなし情報に対応するウォッチフェイスパターンを前記ユーザに表示するステップであって、前記プリセット対応関係は、前記ウォッチフェイススタイルおよび前記着こなし情報の１つの組合せが少なくとも１つのウォッチフェイスパターンに対応することを示すために使用される、ステップと、
前記ユーザによって選択されたウォッチフェイスパターンを提示するステップとを特に含む請求項１または２に記載の方法。
【請求項７】
第１のコンテキスト情報および第２のコンテキスト情報を検知および／または受信する前記ステップの前に、
前記ユーザの個人特徴情報を入手するステップと、
前記ユーザの前記個人特徴情報に従って前記スマートウォッチの少なくとも１つのウォッチフェイススタイルを決定するステップと
をさらに含み、
前記第１のコンテキスト情報に従って前記スマートウォッチの前記ウォッチフェイススタイルを決定する前記ステップは、
前記個人特徴情報に従って決定された、前記スマートウォッチの前記少なくとも１つのウォッチフェイススタイルから、前記スマートウォッチの前記ウォッチフェイススタイルを前記第１のコンテキスト情報に従ってさらに決定するステップを特に含む請求項１に記載の方法。
【請求項８】
ユーザの好み情報、および少なくとも１人の別のユーザのウォッチフェイスパターンを検知および／または受信するステップであって、前記ユーザの前記好み情報は、前記少なくとも１人の別のユーザの前記ウォッチフェイスパターンと同じウォッチフェイスパターンを有することを前記ユーザが好むかどうかを示すために使用され、前記少なくとも１人の別のユーザは、前記ユーザのソーシャルメディア友達、前記ユーザによってフォローされているソーシャルメディアオブジェクト、または近くのユーザのうちの１人または複数を含む、ステップと、
前記少なくとも１人の別のユーザの前記ウォッチフェイスパターンを、前記ユーザが選択するために前記ユーザの前記好み情報に従って前記ユーザに表示するステップと、
前記ユーザによって選択されたウォッチフェイスパターンを提示するステップと
を含む請求項１に記載の方法。
【請求項９】
スマートウォッチのウォッチフェイスを提示するための装置であって、
第１のコンテキスト情報および第２のコンテキスト情報を検知および／または受信するように構成された検知ユニットおよび／または受信ユニットであって、前記第１のコンテキスト情報は、前記スマートウォッチのウォッチフェイススタイルを決定するために使用され、前記第２のコンテキスト情報は、ユーザの着こなし情報を示すために使用される、検知ユニットおよび／または受信ユニットと、
前記検知ユニットによって検知される、および／または前記受信ユニットによって受信される前記第１のコンテキスト情報に従って前記スマートウォッチの前記ウォッチフェイススタイルを決定するように構成された決定ユニットと、
前記決定ユニットによって決定された、前記スマートウォッチの前記ウォッチフェイススタイル、ならびに、前記検知ユニットによって検知される、および／または前記受信ユニットによって受信される前記第２のコンテキスト情報に従って、前記スマートウォッチのウォッチフェイスパターンを提示するように構成された提示ユニットと
を含む装置。
【請求項１０】
前記第１のコンテキスト情報は、前記ユーザのロケーション情報、前記ユーザの現在時刻情報、アクション情報、アジェンダ情報、音声情報、ソーシャルメディア情報、またはオペレーション命令情報のうちの１つまたは複数を含み、
前記決定ユニットは、
前記検知ユニットによって検知される、および／または前記受信ユニットによって受信される前記第１のコンテキスト情報に従って前記ユーザの使用機会を決定し、
前記使用機会に従って前記スマートウォッチの前記ウォッチフェイススタイルを決定するように特に構成された請求項９に記載の装置。
【請求項１１】
前記提示ユニットは、プリセット対応関係に従って、前記ウォッチフェイススタイルおよび前記着こなし情報に対応するウォッチフェイスパターンを提示するように特に構成され、前記プリセット対応関係は、前記ウォッチフェイススタイルおよび前記着こなし情報の１つの組合せが１つのウォッチフェイスパターンに対応することを示すために使用される、請求項９または１０に記載の装置。
【請求項１２】
前記着こなし情報は、
上着情報、アウターウェア情報、ズボン情報、靴および帽子情報、スカーフ情報、またはアクセサリー情報のうちの１つまたは複数を特に含む請求項１１に記載の装置。
【請求項１３】
前記決定ユニットは、上着情報、アウターウェア情報、ズボン情報、靴および帽子情報、スカーフ情報、またはアクセサリー情報のうちの前記１つまたは複数の優先度レベルを設定するようにさらに構成され、
前記提示ユニットは、前記プリセット対応関係、および前記優先度レベルのシーケンスに従って、前記ウォッチフェイススタイルおよび前記着こなし情報に対応する前記ウォッチフェイスパターンを提示するように特に構成された請求項１２に記載の装置。
【請求項１４】
前記提示ユニットは、
プリセット対応関係に従って、前記ユーザが選択するために、前記ウォッチフェイススタイルおよび前記着こなし情報に対応するウォッチフェイスパターンを前記ユーザに表示し、前記プリセット対応関係は、前記ウォッチフェイススタイルおよび前記着こなし情報の１つの組合せが少なくとも１つのウォッチフェイスパターンに対応するということを示すために使用され、
前記ユーザによって選択されたウォッチフェイスパターンを提示する
ように特に構成された請求項９または１０に記載の装置。
【請求項１５】
前記検知ユニットおよび／または前記受信ユニットは、前記ユーザの個人特徴情報を検知および／または受信するようにさらに構成され、
前記決定ユニットは、前記検知ユニットによって検知される、および／または前記受信ユニットによって受信される前記個人特徴情報に従って前記スマートウォッチの少なくとも１つのウォッチフェイススタイルを決定するようにさらに構成され、
前記決定ユニットは、前記決定ユニットによって決定された、前記スマートウォッチの前記少なくとも１つのウォッチフェイススタイルから、前記スマートウォッチの前記ウォッチフェイススタイルを、前記検知ユニットによって検知される、および／または前記受信ユニットによって受信される前記第１のコンテキスト情報に従ってさらに決定するように特に構成された請求項９に記載の装置。
【手続補正２】
【補正対象書類名】明細書
【補正対象項目名】全文
【補正方法】変更
【補正の内容】
【発明の詳細な説明】
【技術分野】
【０００１】
本発明は、電子テクノロジーの分野に関連しており、詳細には、ウォッチフェイスを提示するための方法および装置、ならびにスマートウォッチに関連している。
【背景技術】
【０００２】
インテリジェントなウェアラブル製品の開発に伴って、スマートウォッチがますます人気を博しており、消費者の日常生活において徐々に使用されてきている。主としてファッションスタイルで取り上げられるｉＷａｔｃｈ、主としてビジネススタイルで取り上げられるＨｕａｗｅｉ  Ｗａｔｃｈ、または主としてスポーツスタイルで取り上げられるＮｉｋｅスマートウォッチなど、さまざまなスタイルのスマートウォッチが、次から次へと現れている。これらのスマートウォッチは、ユーザによって直面されるさまざまな仕事上および生活上の適用シナリオに対応している。スマートウォッチのウォッチフェイスは、電子的に表示され、ウォッチフェイスパターンは、思いどおりに変更されることが可能であり、したがってスマートウォッチはまた、ウォッチフェイス提示形式をユーザが手動で変更することを可能にする機能を提供する。
【０００３】
従来型の腕時計を買う際に、人々は通常、その従来型の腕時計のスタイルがすべてにマッチしているかどうかに注意を払うか、またはさまざまな機会に備えるためにさまざまなスタイルのいくつかの腕時計を買う必要がある。しかしながら、この側面においては、スマートウォッチは、よりいっそう便利である。スマートウォッチにおいて提供されている独自のプログラム、またはいくつかのサードパーティープログラムが、ユーザによってダウンロードされることが可能である大量のさまざまなウォッチフェイスを提供している。しかしながら、あまりにも多くの選択肢は、選択を行うことが困難であるということを意味し、したがって、かえって、ユーザがウォッチフェイスを選択する際にあまりにも多くの時間がかかるか、または難しい選択に起因してユーザは長い間ウォッチフェイスパターンを変更しない。結果として、ユーザ体験は貧しくなり、スマートウォッチのウォッチフェイスはフレキシブルに変更されることが可能であるという利点がフルに活用されない。
【発明の概要】
【０００４】
本発明の実施形態は、ユーザ特徴情報に従ってウォッチフェイスを提示するための方法を提供する。この方法によれば、ユーザの第１のコンテキスト情報に従ってウォッチフェイススタイルが決定されることが可能であり、その決定されたウォッチフェイススタイルおよびユーザの第２のコンテキスト情報に従ってウォッチフェイスパターンが決定されることが可能であり、次いでそのウォッチフェイスパターンが提示され、それによってウォッチフェイスパターンは、ユーザ特徴に従って自動的に変更される。したがって、さまざまなシナリオにおいて着用されるスマートウォッチのウォッチフェイスパターンが現在のシナリオにマッチすることが可能であり、たとえユーザが１つのスマートウォッチを着用していても、ユーザは容易に、さまざまな仕事および生活のシナリオにおいて、表明された個人的な嗜好とともに存在することが可能である。
【０００５】
第１の態様によれば、本発明の実施形態は、ウォッチフェイスを提示するための方法を提供する。この方法は、第１のコンテキスト情報および第２のコンテキスト情報を検知および／または受信するステップであって、第１のコンテキスト情報は、スマートウォッチのウォッチフェイススタイルを決定するために使用され、第２のコンテキスト情報は、ユーザの着こなし情報を示すために使用される、ステップと、第１のコンテキスト情報に従ってスマートウォッチのウォッチフェイススタイルを決定するステップと、ウォッチフェイススタイルおよび第２のコンテキスト情報に従ってスマートウォッチのウォッチフェイスパターンを提示するステップとを含む。
【０００６】
本発明のこの実施形態において提供されている、ウォッチフェイスを提示するための方法によれば、最初に、第１のコンテキスト情報に従ってウォッチフェイススタイルが決定されることが可能であり、次いで、ウォッチフェイススタイルおよび第２のコンテキスト情報を参照してウォッチフェイスパターンが提示される。この方法においては、ウォッチフェイスパターンを提示するプロセスが最適化され、ウォッチフェイススタイル、ウォッチフェイスパターン、および使用シナリオの間における適合度が改善され、ユーザによってウォッチフェイスパターンを選択するために費やされる時間およびエネルギーが低減される。
【０００７】
可能な実装形態においては、第１のコンテキスト情報は、ユーザのロケーション情報、ユーザの現在時刻情報、アクション情報、アジェンダ情報、音声情報、ソーシャルメディア情報、またはオペレーション命令情報のうちの１つまたは複数を含み、第１のコンテキスト情報に従ってスマートウォッチのウォッチフェイススタイルを決定するステップは、第１のコンテキスト情報に従ってユーザの使用機会を決定するステップと、その使用機会に従ってスマートウォッチのウォッチフェイススタイルを決定するステップとを特に含む。
【０００８】
可能な実装形態においては、ウォッチフェイススタイルおよび第２のコンテキスト情報に従ってスマートウォッチのウォッチフェイスパターンを提示するステップは、プリセット対応関係に従って、ウォッチフェイススタイルおよび着こなし情報に対応するウォッチフェイスパターンを提示するステップであって、プリセット対応関係は、ウォッチフェイススタイルおよび着こなし情報の１つの組合せが１つのウォッチフェイスパターンに対応するということを示すために使用される、ステップを特に含む。
【０００９】
可能な実装形態においては、着こなし情報は、上着情報、アウターウェア情報、ズボン情報、靴および帽子情報、スカーフ情報、またはアクセサリー情報のうちの１つまたは複数を特に含む。
【００１０】
可能な実装形態においては、プリセット対応関係に従って、ウォッチフェイススタイルおよび着こなし情報に対応するウォッチフェイスパターンを提示するステップの前に、この方法は、上着情報、アウターウェア情報、ズボン情報、靴および帽子情報、スカーフ情報、またはアクセサリー情報のうちの１つまたは複数の優先度レベルを設定するステップをさらに含み、プリセット対応関係に従って、ウォッチフェイススタイルおよび着こなし情報に対応するウォッチフェイスパターンを提示するステップは、プリセット対応関係、および優先度レベルのシーケンスに従って、ウォッチフェイススタイルおよび着こなし情報に対応するウォッチフェイスパターンを提示するステップを特に含む。
【００１１】
可能な実装形態においては、ウォッチフェイススタイルおよび第２のコンテキスト情報に従ってスマートウォッチのウォッチフェイスパターンを提示するステップは、プリセット対応関係に従って、ユーザが選択するために、ウォッチフェイススタイルおよび着こなし情報に対応するウォッチフェイスパターンをユーザに表示するステップであって、プリセット対応関係は、ウォッチフェイススタイルおよび着こなし情報の１つの組合せが少なくとも１つのウォッチフェイスパターンに対応するということを示すために使用される、ステップと、ユーザによって選択されたウォッチフェイスパターンを提示するステップとを特に含む。
【００１２】
可能な実装形態においては、第１のコンテキスト情報および第２のコンテキスト情報を検知および／または受信するステップの前に、この方法は、ユーザの個人特徴情報を入手するステップと、ユーザの個人特徴情報に従ってスマートウォッチの少なくとも１つのウォッチフェイススタイルを決定するステップとをさらに含む。
【００１３】
可能な実装形態においては、第１のコンテキスト情報に従ってスマートウォッチのウォッチフェイススタイルを決定するステップは、個人特徴情報に従って決定された、スマートウォッチの少なくとも１つのウォッチフェイススタイルから、スマートウォッチのウォッチフェイススタイルを第１のコンテキスト情報に従ってさらに決定するステップを特に含む。
【００１４】
第２の態様によれば、本発明の実施形態は、ウォッチフェイスを提示するための方法を提供する。この方法は、ユーザの好み情報、および少なくとも１人の別のユーザのウォッチフェイスパターンを検知または受信するステップであって、ユーザの好み情報は、少なくとも１人の別のユーザのウォッチフェイスパターンと同じウォッチフェイスパターンを有することをユーザが好むかどうかを示すために使用され、少なくとも１人の別のユーザは、ユーザのソーシャルメディア友達、ユーザによってフォローされているソーシャルメディアオブジェクト、または近くのユーザのうちの１人または複数を含む、ステップと、少なくとも１人の別のユーザのウォッチフェイスパターンの１つをユーザの好み情報に従って提示するステップとを含む。
【００１５】
可能な実装形態においては、少なくとも１人の別のユーザのウォッチフェイスパターンの１つをユーザの好み情報に従って提示するステップは、少なくとも１人の別のユーザのウォッチフェイスパターンを、ユーザが選択するためにユーザの好み情報に従ってユーザに表示するステップと、ユーザによって選択されたウォッチフェイスパターンを提示するステップとを特に含む。
【００１６】
第３の態様によれば、本発明の実施形態は、スマートウォッチのウォッチフェイスを提示するための装置を提供する。この装置は、第１のコンテキスト情報および第２のコンテキスト情報を検知および／または受信するステップであって、第１のコンテキスト情報は、スマートウォッチのウォッチフェイススタイルを決定するために使用され、第２のコンテキスト情報は、ユーザの着こなし情報を示すために使用される、ステップを行うように構成されている検知ユニットおよび／または受信ユニットと、検知ユニットによって検知される、および／または受信ユニットによって受信される第１のコンテキスト情報に従ってスマートウォッチのウォッチフェイススタイルを決定するステップを行うように構成されている決定ユニットと、決定ユニットによって決定された、スマートウォッチのウォッチフェイススタイル、ならびに検知ユニットによって検知される、および／または受信ユニットによって受信される第２のコンテキスト情報に従ってスマートウォッチのウォッチフェイスパターンを提示するステップを行うように構成されている提示ユニットとを含む。
【００１７】
第４の態様によれば、本発明の実施形態は、スマートウォッチのウォッチフェイスを提示するための別の装置を提供し、この装置は、ユーザの好み情報、および少なくとも１人の別のユーザのウォッチフェイスパターンを検知または受信するステップであって、ユーザの好み情報は、少なくとも１人の別のユーザのウォッチフェイスパターンと同じウォッチフェイスパターンを有することをユーザが好むかどうかを示すために使用され、少なくとも１人の別のユーザは、ユーザのソーシャルメディア友達、ユーザによってフォローされているソーシャルメディアオブジェクト、または近くのユーザのうちの１人または複数を含む、ステップを行うように構成されている検知ユニットおよび／または受信ユニットと、少なくとも１人の別のユーザのウォッチフェイスパターンの１つをユーザの好み情報に従って提示するステップを行うように構成されている提示ユニットとを含む。
【００１８】
第５の態様によれば、本発明の実施形態は、スマートウォッチを提供する。このスマートウォッチは、第３の態様において提供されている装置を含む。
【００１９】
第６の態様によれば、本発明の実施形態は、別のスマートウォッチを提供する。この別のスマートウォッチは、第４の態様において提供されている装置を含む。
【００２０】
第７の態様によれば、本発明の実施形態は、スマートウォッチを提供する。このスマートウォッチは、第１のコンテキスト情報および第２のコンテキスト情報を検知および／または受信するステップであって、第１のコンテキスト情報は、スマートウォッチのウォッチフェイススタイルを決定するために使用され、第２のコンテキスト情報は、ユーザの着こなし情報を示すために使用される、ステップを行うように構成されているＩ／Ｏシステムおよび／またはトランシーバ回路と、プロセッサと、ディスプレイスクリーンとを含み、プロセッサは、Ｉ／Ｏシステムによって検知される、および／またはトランシーバ回路によって受信される第１のコンテキスト情報に従ってスマートウォッチのウォッチフェイススタイルを決定するステップを行うように構成されており、ディスプレイスクリーンは、プロセッサによって決定された、スマートウォッチのウォッチフェイススタイル、ならびにＩ／Ｏシステムによって検知される、および／またはトランシーバ回路によって受信される第２のコンテキスト情報に従ってスマートウォッチのウォッチフェイスパターンを提示するステップを行うように構成されている。
【００２１】
第８の態様によれば、本発明の実施形態は、別のスマートウォッチを提供する。この別のスマートウォッチは、ユーザの好み情報、および少なくとも１人の別のユーザのウォッチフェイスパターンを検知または受信するステップであって、ユーザの好み情報は、少なくとも１人の別のユーザのウォッチフェイスパターンと同じウォッチフェイスパターンを有することをユーザが好むかどうかを示すために使用され、少なくとも１人の別のユーザは、ユーザのソーシャルメディア友達、ユーザによってフォローされているソーシャルメディアオブジェクト、または近くのユーザのうちの１人または複数を含む、ステップを行うように構成されているＩ／Ｏシステムおよび／またはトランシーバ回路と、少なくとも１人の別のユーザのウォッチフェイスパターンの１つをユーザの好み情報に従って提示するステップを行うように構成されているディスプレイスクリーンとを含む。
【００２２】
第９の態様によれば、本発明の実施形態は、コンピュータ記録媒体を提供する。そのコンピュータ記録媒体内には命令が格納されており、その命令がコンピュータ上で実行されたときに、そのコンピュータは、第１の態様、または第１の態様の可能な実装形態のうちのいずれか１つによる方法を実行することができる。
【００２３】
第１０の態様によれば、本発明の実施形態は、コンピュータ記録媒体を提供する。そのコンピュータ記録媒体内には命令が格納されており、その命令がコンピュータ上で実行されたときに、そのコンピュータは、第２の態様、または第２の態様の可能な実装形態のうちのいずれか１つによる方法を実行することができる。
【００２４】
本発明の実施形態において提供されている、スマートウォッチのウォッチフェイスを提示するための方法および装置、ならびにスマートウォッチによれば、第１のコンテキスト情報および第２のコンテキスト情報が検知および／または受信されることが可能であり、第１のコンテキスト情報に従ってウォッチフェイススタイルが決定されることが可能であり、次いで第２のコンテキスト情報を参照してウォッチフェイスパターンが提示される。この方法においては、ウォッチフェイスパターンを自動的に提示するプロセスが最適化され、ウォッチフェイススタイル、ウォッチフェイスパターン、および使用シナリオの間における適合度が改善され、ユーザによってウォッチフェイスパターンを選択するために費やされる時間およびエネルギーが低減される。
【図面の簡単な説明】
【００２５】
【図１】本発明の実施形態による、スマートウォッチのウォッチフェイスを提示するための方法のシステムフレームワークの図である。
【図２】本発明の実施形態による、スマートウォッチのウォッチフェイスを提示するための方法のフローチャートである。
【図３】本発明の実施形態による、友達のウォッチフェイスパターン入手効果の概略図である。
【図４】本発明の実施形態による、別の友達のウォッチフェイスパターン入手効果の概略図である。
【図５】本発明の実施形態による、スマートウォッチのウォッチフェイスを提示するための方法の効果の概略図である。
【図６】本発明の実施形態による、スマートウォッチのウォッチフェイスを提示するための方法のフローチャートである。
【図７】本発明の実施形態による、スマートウォッチのウォッチフェイスを提示するための装置の概略図である。
【図８】本発明の実施形態による、スマートウォッチのウォッチフェイスを提示するための別の装置の概略図である。
【図９】本発明の実施形態によるスマートウォッチの概略構造図である。
【図１０】本発明の実施形態による別のスマートウォッチの概略構造図である。
【発明を実施するための形態】
【００２６】
ユーザは、さまざまなシナリオにおいてスマートウォッチのウォッチフェイスを変更する必要がある。従来技術のスマートウォッチは、ユーザが選択するためのさまざまなスタイルおよびパターンの大量のウォッチフェイスを提供しているが、適切なウォッチフェイスをユーザが選択するのに多くの時間がかかり、現在のシナリオに適しているウォッチフェイスをユーザが選択することは、比較的困難である。なぜならユーザは、ウォッチフェイスをどのようにしてマッチさせるかに関する関連した知識が欠如していることがあるからである。本発明の実施形態は、スマートウォッチのウォッチフェイスを提示するための方法、ならびにその方法に基づいている装置およびスマートウォッチを提供する。現在のシナリオに適しているウォッチフェイスが、現在のユーザ特徴情報に従って自動的に提示されることが可能であり、または１つもしくは複数のウォッチフェイスパターンが、ユーザが選択するためにユーザへ推奨され、それにより、ユーザによってウォッチフェイスを選択するために費やされる時間が低減され、ウォッチフェイスと現在のシナリオとの間における適合度が改善される。
【００２７】
本発明において提供されているウォッチフェイスを提示するための方法の基本的なアイディアは、次のとおりである。すなわち、ユーザによってスマートウォッチを使用するプロセスにおいてコンテキスト情報を入手し、そのコンテキスト情報は、第１のコンテキスト情報および第２のコンテキスト情報を含み、第１のコンテキスト情報は、ウォッチフェイススタイルを決定するために使用されてよく、第２のコンテキスト情報は、ユーザの着こなし情報を示すために使用されてよく、次いで、第１のコンテキスト情報に従ってウォッチフェイススタイルを決定し、ウォッチフェイススタイルおよび第２のコンテキスト情報に従ってウォッチフェイスパターンを提示する。加えて、本発明において提供されているウォッチフェイスを提示するための方法によれば、そのユーザによってフォローされている別のユーザによって最近使用されているウォッチフェイスパターンが、ソーシャルネットワーキングを通じて認識されることも可能であり、近くのユーザによって使用されているウォッチフェイスパターンが、地理的ロケーションに基づいて認識されることが可能であり、別のユーザのウォッチフェイスパターンが、ユーザの好みに従って提示される。
【００２８】
本発明の実施形態に関連したウォッチフェイスパターンは、ウォッチフェイス背景の特定の画像、腕時計の針および数字の特定の形状および色、ならびにウォッチフェイス上のアイコンなどの別のグラフィック要素の形状および色を含み得、ウォッチフェイスパターンは、腕時計の１つの特定のウォッチフェイス提示パターンであり得るということに留意されたい。本発明の実施形態に関連したウォッチフェイススタイルは、ウォッチフェイスパターンのタイプであり得る。同じウォッチフェイススタイルに対応するまたは属するウォッチフェイスパターンは、同じもしくは同様の特徴を伴うウォッチフェイスパターンであり得、または全体として典型的な外観を提示するウォッチフェイスパターンであり得る。本発明の実施形態において提供されている方法が、以降で記述されている。この方法は、スマートウォッチによって実行される。
【００２９】
本発明の実施形態による、スマートウォッチのウォッチフェイスを提示するための方法のアプリケーションフレームワークが、図１において示されている。スマートウォッチ１０２が、Ｗｉ−ＦｉまたはＢｌｕｅｔｏｏｔｈなどの通信様式でインテリジェント端末１０１へ接続され得る。スマートウォッチ１０２は、第１のコンテキスト情報および第２のコンテキスト情報を検知し得るか、またはインテリジェント端末１０１によって検知された第１のコンテキスト情報および第２のコンテキスト情報を受信し得る。インテリジェント端末１０１は、スマートフォン、タブレットコンピュータ、および携帯情報端末（ＰＤＡ）など、ユーザによって日常生活において通信および仕事のために携行されるさまざまなインテリジェント端末を含み得る。スマートウォッチ１０２は、検知または受信される第１のコンテキスト情報および第２のコンテキスト情報に従って処理を実行して、ユーザが腕時計を着用するシナリオにマッチするウォッチフェイスパターンを入手し得る。スマートウォッチ１０２は、代替として、インテリジェント端末１０１のコンピューティング能力を使用することによって第１のコンテキスト情報および第２のコンテキスト情報を処理して、ユーザが腕時計を使用するシナリオにマッチするウォッチフェイスパターンを入手し得る。
【００３０】
本発明の実施形態は、スマートウォッチのウォッチフェイスを提示するための方法を提供し、この方法は、スマートウォッチによって実行される。図２において示されているように、この方法は、下記のステップを含む。
【００３１】
ステップ２０１．  第１のコンテキスト情報および第２のコンテキスト情報を検知および／または受信し、第１のコンテキスト情報は、スマートウォッチのウォッチフェイススタイルを決定するために使用され、第２のコンテキスト情報は、ユーザの着こなし情報を示すために使用される。
【００３２】
スマートウォッチ１０２は、スマートウォッチ１０２のハードウェアリソースを使用することによって第１のコンテキスト情報および第２のコンテキスト情報を検知し得るか、またはインテリジェント端末１０１によって送信される第１のコンテキスト情報および第２のコンテキスト情報を受信し得る。第１のコンテキスト情報は、スマートウォッチのウォッチフェイススタイルを決定するために使用され、第２のコンテキスト情報は、ユーザの着こなし情報を示すために使用される。
【００３３】
例においては、ユーザの着こなし情報を示すために使用される第２のコンテキスト情報は、スマートウォッチ１０２のカメラを使用することによって検知され得、またはインテリジェント端末１０１のカメラによって検知された第２のコンテキスト情報を受信することによって入手され得る。特に、カメラを使用することによって、ユーザの着こなしステータスを含む写真が撮影され得、その写真からユーザの着こなし情報が入手され得る。
【００３４】
例においては、インテリジェント端末１０１の、もしくはスマートウォッチ１０２のオペレーションインターフェースが、第２のコンテキスト情報のオプションもしくは入力インターフェースを含み得、またはオプションもしくは入力インターフェースは、インテリジェント端末１０１もしくはスマートウォッチ１０２にインストールされているアプリケーションを使用することによって提供され得る。インテリジェント端末１０１もしくはスマートウォッチ１０２は、オプションもしくは入力インターフェースを通じてユーザが選択するための複数のタイプの第２のコンテキスト情報を格納し得、またはユーザは、オプションもしくは入力インターフェースを通じて第２のコンテキスト情報を手動で入力し得る。選択または入力された第２のコンテキスト情報は、ユーザの着こなし情報を含む。
【００３５】
ステップ２０２．  第１のコンテキスト情報に従ってスマートウォッチのウォッチフェイススタイルを決定する。
【００３６】
例においては、ユーザがスマートウォッチを使用する機会が、第１のコンテキスト情報に従って決定され得る。
【００３７】
例においては、第１のコンテキスト情報は、ユーザについてのものである現在時刻情報、ロケーション情報、およびアクション情報を含み得る。スマートウォッチ１０２の測位システムまたはインテリジェント端末１０１の測位システムを使用することによって、ユーザの現在のロケーションが入手され得、スマートウォッチ１０２のセンサシステムまたはインテリジェント端末１０１のセンサシステムを使用することによって、ユーザのアクション情報が入手され得、現在時刻情報、そのロケーション、およびそのアクション情報に従って、ユーザがスマートウォッチを使用する機会が認識される。特定の例に関して、時刻が午前６：００であり、ユーザが屋外にいて、アクションがランニングである場合には、スマートウォッチ１０２を使用することによって、現在時刻情報、ロケーション情報、およびアクション情報に従って、ユーザがスポーツおよびフィットネスを行っているということが認識されることが可能である。すなわち、この例においては、現在時刻情報、ロケーション情報、およびアクション情報を含む第１のコンテキスト情報に従って、ユーザがスマートウォッチ１０２を使用するスポーツおよびフィットネス機会が決定される。
【００３８】
例においては、第１のコンテキスト情報は、ユーザのアジェンダ情報をさらに含み得る。たとえば、アジェンダ情報は、スマートウォッチ１０２またはインテリジェント端末１０１にインストールされているアジェンダアプリケーションから入手され得る。特定の例に関して、ユーザがミーティングに出席しているということがアジェンダアプリケーションから入手された場合には、ユーザがスマートウォッチ１０２を使用する機会は、ミーティングとして決定され得る。
【００３９】
例においては、第１のコンテキスト情報は、ソーシャルメディア情報をさらに含み得る。具体的には、ユーザによってポストされたソーシャルメディア情報が、ソーシャルメディアアプリケーションから入手され得、そのソーシャルメディア情報に従って、ユーザがスマートウォッチ１０２を使用する機会が決定され得る。
【００４０】
例においては、第１のコンテキスト情報は、ユーザの音声情報をさらに含み得る。たとえば、ユーザの音声「友達の誕生日パーティーに行くところだ」が入手され、その音声情報に従って、ユーザがスマートウォッチ１０２を使用する機会は、カジュアルパーティーとして決定され得る。
【００４１】
前述の例の処理ルールに関して、表１が、さまざまなタイプの第１のコンテキスト情報と、その第１のコンテキスト情報に従って決定される、ユーザがスマートウォッチ１０２を使用する使用機会とをリストアップしている。
【００４２】
【表１】
2019512667.tif 000019
【００４３】
例においては、特に、第１のコンテキスト情報を入手するステップは、ユーザのオペレーション命令情報を受信するステップと、ユーザのオペレーション命令情報に従ってウォッチフェイススタイルを決定するステップとをさらに含み得る。例においては、特に、ユーザは、スマートウォッチ１０２の設定インターフェース、またはインテリジェント端末１０１にインストールされている、スマートウォッチ１０２に対応するアプリケーションの設定インターフェースを使用することによって、使用機会を手動で選択してよい。複数のオプションを含むドロップダウンリストなどから使用機会が選択され得る。次いで、ユーザによって選択された使用機会は、日常の仕事時、ビジネスミーティング、スポーツおよびフィットネス、カジュアルパーティー、旅行、またはデートなど、ユーザの使用機会として使用される。
【００４４】
例においては、使用機会にマッチするウォッチフェイススタイルが、前述の使用機会に従って決定され得る。ウォッチフェイススタイルは、ビジネス、漫画、スポーツ、抽象、シンプル、ファッション、ラフ、優美、高貴、エレガント、カジュアルなどを含み得る。
【００４５】
例においては、使用機会と、その使用機会にマッチするウォッチフェイススタイルとが、対応関係にあり得、スマートウォッチ１０２内に格納され得る。具体的な対応関係が、表２において示され得る。
【００４６】
【表２】
2019512667.tif 000020
【００４７】
ステップ２０３．  ウォッチフェイススタイルおよび第２のコンテキスト情報に従ってスマートウォッチのウォッチフェイスパターンを提示する。
【００４８】
本発明のこの実施形態においては、ウォッチフェイスパターンは、ウォッチフェイスの最終的な提示形式であり、１つのウォッチフェイスパターンが、１つのウォッチフェイススタイルに対応している。ウォッチフェイススタイルは、ステップ２０２において決定され、ウォッチフェイスパターンはさらに、ウォッチフェイススタイルに従って、および第２のコンテキスト情報を参照して決定される。
【００４９】
本発明のこの実施形態において提供されている第２のコンテキスト情報は、ユーザの着こなし情報を示すために使用される。より具体的には、本発明のこの実施形態において提供されている方法によれば、ウォッチフェイスパターンはさらに、ウォッチフェイススタイルおよびユーザの着こなし情報に従って決定されることが可能である。
【００５０】
例においては、ウォッチフェイススタイルおよび着こなし情報に対応するウォッチフェイスパターンが、プリセット対応関係に従って提示され得る。プリセット対応関係は、ウォッチフェイススタイルおよび着こなし情報の１つの組合せが１つのウォッチフェイスパターンに対応するということを示すために使用される。
【００５１】
特定のウォッチフェイススタイルおよび特定の着こなし情報は、１つのウォッチフェイスパターンに対応している。特定のウォッチフェイススタイル、特定の着こなし情報、およびウォッチフェイスパターンの間における対応関係がプリセットされてデータベース内に格納され得る。ウォッチフェイススタイルが決定された後に、ウォッチフェイスパターンが、プリセット対応関係、ウォッチフェイススタイル、および、第２のコンテキスト情報によって示される着こなし情報に従ってデータベースから入手され、提示され得る。
【００５２】
特に、ウォッチフェイススタイルと、着こなし情報と、ウォッチフェイスパターンとの間におけるプリセット対応関係が、表３において示され得る。
【００５３】
【表３−１】
2019512667.tif 000021
【００５４】
【表３−２】
2019512667.tif 000022
【００５５】
例においては、ウォッチフェイススタイルおよび着こなし情報の１つの組合せが、代替として、少なくとも１つのウォッチフェイスパターンに対応し得る。ウォッチフェイススタイル、着こなし情報、およびウォッチフェイスパターンの間における対応関係がプリセットされ得、その対応関係はデータベース内に格納される。ウォッチフェイススタイルおよび着こなし情報に従ってウォッチフェイスパターンが提示される際に、そのウォッチフェイスパターンは、ユーザが選択するために、ウォッチフェイススタイル、着こなし情報、およびウォッチフェイスパターンの間における対応関係に従ってユーザに表示され得る。最後に、ユーザによって選択されたウォッチフェイスパターンが提示される。
【００５６】
例においては、着こなし情報は、衣服のタイプ、衣服の色、衣服上の画像、または衣服のテクスチャのうちの１つまたは複数をさらに含み得る。衣服のタイプは、具体的には、スーツ、シャツ、革靴、ネクタイ、Ｔシャツ、ジーンズ、スポーツシューズなどを含み得、衣服上の画像は、具体的には、花、動物、漫画の画像、ポートレート、キャラクター、抽象画像などを含み得る。ウォッチフェイススタイルが決定された後に、衣服のタイプ、衣服の色、衣服上の画像、または衣服のテクスチャのうちの１つまたは複数が、個別に１つのウォッチフェイスパターンに対応し得、その対応関係はプリセットされ得る。
【００５７】
例においては、ウォッチフェイススタイルおよび着こなし情報が組み合わされ得、決定されたウォッチフェイススタイルおよび決定された着こなし情報が組み合わされて、１つの組合せになり得る。より具体的には、決定されたウォッチフェイススタイルと、衣服のタイプ、衣服の色、衣服上の画像、または衣服のテクスチャのうちの決定された１つまたは複数とが組み合わされて、１つの組合せになり得る。ウォッチフェイススタイルおよび着こなし情報の組合せと、ウォッチフェイスパターンとの間における対応関係がプリセットされ得る。より具体的には、ウォッチフェイスパターンと、ウォッチフェイススタイル、および、衣服のタイプ、衣服の色、衣服上の画像、または衣服のテクスチャのうちの１つまたは複数の組合せとの間において、対応関係がプリセットされ得る。
【００５８】
例においては、プリセット対応関係において、ウォッチフェイススタイルおよび着こなし情報の１つの組合せが、１つのウォッチフェイスパターンに対応し、より具体的には、ウォッチフェイススタイル、および、衣服のタイプ、衣服の色、衣服上の画像、または衣服のテクスチャのうちの１つまたは複数の１つの組合せが、１つのウォッチフェイスパターンに対応する。ウォッチフェイスパターンが提示されつつあるときに、そのウォッチフェイスパターンは、プリセット対応関係に従って直接提示され得る。
【００５９】
例においては、プリセット対応関係において、ウォッチフェイススタイルおよび着こなし情報の１つの組合せが、少なくとも１つのウォッチフェイスパターンに対応し、より具体的には、ウォッチフェイススタイル、および、衣服のタイプ、衣服の色、衣服上の画像、または衣服のテクスチャのうちの１つまたは複数の１つの組合せが、少なくとも１つのウォッチフェイスパターンに対応する。ウォッチフェイスパターンが提示されつつあるときに、少なくとも１つのウォッチフェイスパターンが、ユーザが選択するために、プリセット対応関係に従って最初にユーザに表示され得、次いで、ユーザによって選択されたウォッチフェイスパターンが最終的に提示される。
【００６０】
例においては、着こなし情報は、上着情報、アウターウェア情報、ズボン情報、靴および帽子情報、スカーフ情報、またはアクセサリー情報のうちの１つまたは複数をさらに含み得る。ウォッチフェイススタイルにおいては、上着情報、アウターウェア情報、ズボン情報、靴および帽子情報、スカーフ情報、またはアクセサリー情報のうちの１つまたは複数が、特定のウォッチフェイスパターンに対応し得る。決定されたウォッチフェイススタイルと、上着情報、アウターウェア情報、ズボン情報、靴および帽子情報、スカーフ情報、またはアクセサリー情報のうちの決定された１つまたは複数とが組み合わされて、１つの組合せになり得る。ウォッチフェイススタイル、ならびに、上着情報、アウターウェア情報、ズボン情報、靴および帽子情報、スカーフ情報、またはアクセサリー情報のうちの１つまたは複数の組合せと、ウォッチフェイスパターンとの間における対応関係がプリセットされ得る。
【００６１】
例においては、プリセット対応関係において、ウォッチフェイススタイル、ならびに、上着情報、アウターウェア情報、ズボン情報、靴および帽子情報、スカーフ情報、またはアクセサリー情報のうちの１つまたは複数の１つの組合せが、１つのウォッチフェイスパターンに対応する。ウォッチフェイスパターンが提示されつつあるときに、そのウォッチフェイスパターンは、プリセット対応関係に従って直接提示され得る。
【００６２】
例においては、プリセット対応関係において、ウォッチフェイススタイル、ならびに、上着情報、アウターウェア情報、ズボン情報、靴および帽子情報、スカーフ情報、またはアクセサリー情報のうちの１つまたは複数の１つの組合せが、少なくとも１つのウォッチフェイスパターンに対応する。ウォッチフェイスパターンが提示されつつあるときに、少なくとも１つのウォッチフェイスパターンが、ユーザが選択するために、プリセット対応関係に従って最初にユーザに表示され得、次いで、ユーザによって選択されたウォッチフェイスパターンが最終的に提示される。
【００６３】
ウォッチフェイススタイルが決定された後に、着こなし情報とウォッチフェイスパターンとの間におけるプリセット対応関係が、表４において示され得る。
【００６４】
【表４】
2019512667.tif 000023
【００６５】
例においては、着こなし情報が、複数のタイプの着こなし情報を含む場合に、およびウォッチフェイススタイルが決定された後に、それらの複数のタイプの着こなし情報は、個別にウォッチフェイスパターンに対応する。本発明のこの実施形態において提供されている、ウォッチフェイスを提示するための方法によれば、複数のタイプの着こなし情報に対応する複数のウォッチフェイスパターンが、ユーザが選択するために、ユーザに表示され得、ユーザによって選択されたウォッチフェイスパターンが最終的に提示される。
【００６６】
例においては、本発明のこの実施形態において提供されている方法によれば、上着情報、アウターウェア情報、ズボン情報、靴および帽子情報、スカーフ情報、またはアクセサリー情報などの着こなし情報の優先度レベルがさらに設定され得る。たとえば、着こなし情報の優先度レベルは、次のように、すなわち、上着情報優先度レベル＞アウターウェア優先度レベル＞ズボン優先度レベル＞靴および帽子優先度レベル＞スカーフ優先度レベル＞別のアクセサリー（イヤリング、ブレスレット、ネックレス、または革のベルトなど）の優先度レベルと設定され得る。上着情報、アウターウェア情報、ズボン情報、靴および帽子情報、スカーフ情報、ならびにアクセサリー情報は、個別に１つのウォッチフェイスパターンに対応し、その対応関係はプリセットされ得る。決定されたウォッチフェイススタイルおよび着こなし情報に対応するウォッチフェイスパターンが、プリセット対応関係、および着こなし情報の優先度レベルのシーケンスに従って提示され得る。特定の例に関して、決定されたウォッチフェイススタイルおよび上着情報に対応するウォッチフェイスパターン、決定されたウォッチフェイススタイルおよびアウターウェア情報に対応するウォッチフェイスパターン、決定されたウォッチフェイススタイルおよびズボン情報に対応するウォッチフェイスパターン、決定されたウォッチフェイススタイルならびに靴および帽子情報に対応するウォッチフェイスパターン、決定されたウォッチフェイススタイルおよびスカーフ情報に対応するウォッチフェイスパターン、ならびに決定されたウォッチフェイススタイルおよびアクセサリー情報に対応するウォッチフェイスパターンが、前述の優先度レベルのシーケンスに従って提示され得る。
【００６７】
例においては、ウォッチフェイススタイルおよび着こなし情報に対応するウォッチフェイスパターンが、ユーザが選択するために、着こなし情報の優先度レベル、およびプリセット対応関係に従ってユーザに表示され得、ユーザによって選択されたウォッチフェイスパターンが提示される。
【００６８】
例においては、図５において示されているように、さまざまな着こなし情報の組合せと、ウォッチフェイスパターンとの間における対応関係が、代替としてスマートウォッチ１０２内に事前に格納され得る。入手された着こなし情報の組合せに完全にマッチするウォッチフェイスパターンが格納されていない場合には、入手された着こなし情報の組合せのサブセットが、代替として対応関係内で検索され得る。たとえば、ユーザの入手された着こなし情報が、上着タイプＡ２＋ズボンタイプＢ３＋靴タイプＣ４であり、その着こなしにマッチするウォッチフェイスパターンは格納されていないが、その着こなし情報のサブセット、上着タイプＡ２＋ズボンタイプＢ３に対応するウォッチフェイスパターンがある。したがって、ウォッチフェイスパターン８が提示され得、またはウォッチフェイスパターン８が、好ましい推奨パターンとしてユーザに推奨され得、上着タイプＡ２に対応するウォッチフェイスパターン２、ズボンタイプＢ３に対応するウォッチフェイスパターン５、および靴タイプＣ４に対応するウォッチフェイスパターン６が、ユーザが選択するために、二次的な推奨として順次使用される。次いで、ユーザによって選択されたウォッチフェイスパターンが提示される。
【００６９】
【表５】
2019512667.tif 000024
【００７０】
一般には、衣服の色、衣服上の画像、および衣服のテクスチャは、ウォッチフェイスがより正確に提示されることをさらに可能にし得る。例においては、ウォッチフェイスパターンが、衣服上の画像と同様の画像を含む場合には、そのウォッチフェイスパターンが、優先してユーザに提示または推奨される。表３におけるシーケンス番号７によって示されているように、ユーザの衣服は、漫画テーマ画像のＴシャツであり、優先して提示されるウォッチフェイスパターンは、漫画の画像である。さまざまな色の衣服に関して、それらの衣服にマッチする適切な色のウォッチフェイスパターンがある。たとえば、緑色の衣服は、黒色のウォッチフェイスパターンにマッチし、赤色の衣服は、白色のウォッチフェイスパターンにマッチし、青色の衣服は、黒色のウォッチフェイスパターンにマッチする。衣服のタイプにマッチする複数のタイプのウォッチフェイスパターンがある場合には、衣服の色にマッチするウォッチフェイスパターンが、優先して選択され得る。
【００７１】
本発明のこの実施形態において提供されている、ウォッチフェイスを提示するための方法によれば、コンテキスト情報が入手されることが可能であり、そのコンテキスト情報に従ってウォッチフェイスパターンが決定され、それによってスマートウォッチは、さまざまなシナリオにフレキシブルに適合されること、およびユーザの個人的なスタイルにマッチすることが可能であり、スマートウォッチの使用範囲が広げられ、加えて、ユーザによってさまざまなウォッチフェイスから適切なウォッチフェイスを選択するために費やされる時間が低減され、ウォッチフェイスと使用シナリオとの間におけるマッチング度が改善される。
【００７２】
例においては、第１のコンテキスト情報および第２のコンテキスト情報が入手される前に、本発明のこの実施形態において提供されている方法は、ユーザの個人特徴情報を入手するステップと、その個人特徴情報に従って少なくとも１つのウォッチフェイススタイルおよび／または少なくとも１つのウォッチフェイスパターンを決定するステップとをさらに含む。
【００７３】
例においては、ユーザの個人特徴情報は、ユーザの個人情報を含み得、具体的には、ユーザの性別、年齢、職業、肌の色、体格、個性などを含み得る。一般に、個人情報が変わる確率は低く、したがって、はじめてスマートウォッチ１０２を使用する際に、ユーザは個人情報を設定し得る。
【００７４】
例においては、ユーザの個人特徴情報は、性別を含み得る。ユーザの性別が女性である場合には、選択のために利用可能なウォッチフェイススタイルは、漫画、スポーツ、シンプル、ファッション、優美、高貴、エレガント、カジュアルなどを含む。ユーザの性別が男性である場合には、選択のために利用可能なウォッチフェイススタイルは、ビジネス、漫画、スポーツ、抽象、シンプル、ファッション、ラフ、カジュアルなどを含む。
【００７５】
例においては、ユーザの個人特徴情報は、年齢を含み得る。ユーザが１０から２０歳の間である場合には、選択のために利用可能なウォッチフェイススタイルは、漫画、ファッションなどを含む。ユーザが１５から２５歳の間である場合には、選択のために利用可能なウォッチフェイススタイルは、ファッション、スポーツ、シンプル、カジュアルなどを含む。ユーザが２５から３５歳の間である場合には、選択のために利用可能なウォッチフェイススタイルは、ビジネス、ファッション、スポーツ、抽象、シンプル、ラフ、優美、エレガント、高貴、カジュアルなどを含む。ユーザが３５から４５歳の間である場合には、選択のために利用可能なウォッチフェイススタイルは、ビジネス、シンプル、抽象、スポーツ、ファッション、ラフ、エレガント、高貴などを含む。
【００７６】
例においては、ユーザの個人特徴情報は、ユーザの体格を含み得、体格は、身長および体重情報を入力することによって計算され得る。ユーザの体格がたくましい場合には、適切なウォッチフェイススタイルは、ラフ、スポーツ、抽象などを含む。ユーザの体格がやせ型である場合には、適切なウォッチフェイススタイルは、シンプル、優美、カジュアル、エレガント、高貴などを含む。ユーザの体格が小柄である場合には、適切なウォッチフェイススタイルは、シンプル、優美、カジュアルなどを含む。
【００７７】
例においては、ユーザの個人特徴情報は、個性を含み得る。ユーザが優しい場合には、適切なウォッチフェイススタイルは、優美などを含む。ユーザが率直である場合には、適切なウォッチフェイススタイルは、シンプル、ラフなどを含む。ユーザが衝動的である場合には、適切なウォッチフェイススタイルは、抽象などを含む。ユーザが穏やかである場合には、適切なウォッチフェイススタイルは、クラシックを含む。
【００７８】
例においては、ユーザの個人特徴情報は、肌の色を含み得る。ユーザの肌の色が黄色である場合には、適切なウォッチフェイスカラーは、ピンク、青色、赤色などを含む。ユーザが色白である場合には、適切なウォッチフェイスカラーは、ピンク、青色、赤色、黄色／金色、茶色などを含む。ユーザが色黒である場合には、適切なウォッチフェイスカラーは、青色、黒色、白色／銀色、ライトグリーンなどを含む。
【００７９】
例においては、ユーザの個人特徴情報は、情報の正確さを確実にするためにユーザによって手動で入力される。ユーザは、１つまたは複数の個人情報アイテムを設定し得、ウォッチフェイススタイルおよびウォッチフェイスパターンが第１のコンテキスト情報および第２のコンテキスト情報に従って提示される前に、ウォッチフェイススタイルおよび／またはウォッチフェイスパターンは最初に、ユーザによって設定または入力された個人特徴情報に従って、対応する範囲において提示または選択され得る。
【００８０】
例においては、第１のコンテキスト情報に従ってウォッチフェイススタイルを決定するステップは、個人特徴情報に従って決定される少なくとも１つのウォッチフェイススタイルから、ウォッチフェイススタイルを第１のコンテキスト情報に従ってさらに決定するステップを特に含む。
【００８１】
例においては、ウォッチフェイススタイルおよび第２のコンテキスト情報に従ってウォッチフェイスパターンを提示するステップは、個人特徴情報に従って決定された少なくとも１つの色付きのウォッチフェイスパターンから、ウォッチフェイスパターンをウォッチフェイススタイルおよび第２のコンテキスト情報に従って決定および提示するステップを特に含む。
【００８２】
例においては、さらに、スマートウォッチ１０２のさまざまなユーザのさまざまな個人情報、ならびに／またはスマートウォッチ１０２のさまざまなユーザによってさまざまな機会において、および／もしくはさまざまな着こなしで選択されたウォッチフェイスに関する情報が絶えず記録され得る。新たな推奨の必要性がある場合には、ウォッチフェイスに関する記録された情報に従ってウォッチフェイスパターンが提示または推奨される。
【００８３】
例においては、ウォッチフェイスに関する記録された情報に従ってウォッチフェイスパターンが推奨される際には、前述の条件のうちの１つまたは複数が必要とされ得、または第１のコンテキスト情報もしくは第２のコンテキスト情報は、考慮されなくてもよい。
【００８４】
例においては、何の条件も考慮されないということは、ウォッチフェイスパターンが何回使用されるかに従ってのみ推奨が実行されるということを意味し、たとえば、ウォッチフェイスパターンＡが最も高い頻度で使用されている場合には、ウォッチフェイスパターンＡが優先して提示されるか、またはウォッチフェイスパターンＡが優先して推奨される。
【００８５】
例においては、ユーザが機会ａにある場合にそのユーザによってウォッチフェイスパターンＢが最も頻繁に選択されているということも、統計結果に従って決定され得る。次いで、ユーザの現在の機会が機会ａである場合には、ウォッチフェイスパターンＢが優先して提示されるか、またはウォッチフェイスパターンＢが優先して推奨される。
【００８６】
例においては、ユーザが着こなしｂでいる場合にそのユーザによってウォッチフェイスパターンＣが最も頻繁に選択されているということも、統計結果に従って決定され得る。次いで、ウォッチフェイスパターンＣが優先して提示されるか、またはそのウォッチフェイスパターンが優先して推奨される。
【００８７】
例においては、ユーザが使用機会ａにあって着こなしｂでいる場合にそのユーザによってウォッチフェイスパターンＤが最も頻繁に選択されているということも、統計結果に従って決定され得る。次いで、ユーザが機会ａにあって着こなしｂでいる場合には、ウォッチフェイスパターンＤが優先して提示されるか、またはウォッチフェイスパターンＤが優先して推奨される。
【００８８】
例においては、１つまたは複数の個人特徴に対応するユーザも、統計結果に従って決定され得る。システムが、スマートウォッチを使用するユーザを分類し、特定の分類のユーザによってウォッチフェイスパターンが選択される頻度に関する統計を収集し得る。たとえば、２５歳のオフィスレディーたちによって好まれているウォッチフェイスパターンＥが、このグループにおいて最も頻繁に選択されているならば、新たなユーザが同様の特徴を有する場合には、そのユーザに対して優先してウォッチフェイスパターンＥが提示され得、またはウォッチフェイスパターンＥが推奨され得る。
【００８９】
本発明のこの実施形態において提供されている、ウォッチフェイスを提示するための方法によれば、第１のコンテキスト情報および第２のコンテキスト情報が検知および／または受信されることが可能であり、第１のコンテキスト情報に従ってウォッチフェイススタイルが決定されることが可能であり、次いで第２のコンテキスト情報を参照してウォッチフェイスパターンが提示される。この方法においては、ウォッチフェイスパターンを自動的に提示するプロセスが最適化され、ウォッチフェイススタイル、ウォッチフェイスパターン、および使用シナリオの間における適合度が改善され、ユーザによってウォッチフェイスパターンを選択するために費やされる時間およびエネルギーが低減される。
【００９０】
本発明の実施形態はさらに、スマートウォッチのウォッチフェイスを提示するための別の方法を提供する。この別の方法は、スマートウォッチ１０２によって実行され、この方法は、ユーザの好み情報、および少なくとも１人の別のユーザのウォッチフェイスパターンを検知または受信するステップであって、ユーザの好み情報は、少なくとも１人の別のユーザのウォッチフェイスパターンと同じウォッチフェイスパターンを有することをユーザが好むかどうかを示すために使用され、少なくとも１人の別のユーザは、ユーザのソーシャルメディア友達、ユーザによってフォローされているソーシャルメディアオブジェクト、または近くのユーザのうちの１人または複数を含む、ステップと、少なくとも１人の別のユーザのウォッチフェイスパターンの１つをユーザの好み情報に従って提示するステップとを含む。
【００９１】
例においては、ユーザは、個性に欠けていてトレンドを追いかけていることがあり、またはユーザは、誰かと同じ嗜好を表明することを望み、またはユーザは、友達のウォッチフェイスパターンを非常に好み、ウォッチフェイスパターンを、友達のウォッチフェイスパターンと同じウォッチフェイスパターンに変更したいと望む。したがって、ユーザの好み情報は、別のユーザのスマートウォッチのウォッチフェイスパターンを提示することであり得る。
【００９２】
例においては、別のユーザは、ソーシャルメディア上でユーザによってフォローされている友達を含み得る。具体的には、フォローされている友達に関する情報が、スマートウォッチ１０２またはインテリジェント端末１０１にインストールされているソーシャルメディアアプリケーションから入手され得る。ソーシャルメディア上でフォローされている友達は、実生活におけるユーザの友達、スター、または別の有名人であり得る。友達によって使用されているスマートウォッチのウォッチフェイスパターンが入手された場合には、そのウォッチフェイスパターンが、次いで提示され得る。特定の例に関して、ユーザは、新浪微博上でスターＡをフォローしており、スターＡは最近、スマートウォッチのウォッチフェイスパターンＮａｖｉｔｉｍｅｒを使用している。ユーザのスマートウォッチ１０２が、スターＡによって最近使用されているスマートウォッチのウォッチフェイスパターンを入手した後には、提示されるウォッチフェイスパターンは、ウォッチフェイスＮａｖｉｔｉｍｅｒである。
【００９３】
例においては、本発明のこの実施形態において提供されている、ウォッチフェイスを提示するための方法によれば、ユーザのソーシャルメディア情報が入手されることが可能であり、それにより、そのユーザによってフォローされているユーザによって着用されているスマートウォッチのウォッチフェイスパターンが入手され、そのウォッチフェイスパターンが提示される。例においては、ウォッチフェイス管理アプリケーションが、インテリジェント端末１０１またはスマートウォッチ１０２にインストールされており、ウォッチフェイス管理アプリケーションは、ユーザのソーシャルメディアアカウントを使用することによってユーザがログインすることを承認し得る。ソーシャルメディアアカウントは、ＱＱアカウント、新浪微博アカウント、ＷｅＣｈａｔアカウント、インテリジェント端末１０１またはスマートウォッチ１０２の製造業者のクラウドアカウント（Ａｐｐｌｅアカウント、Ｈｕａｗｅｉアカウント、またはＭｉアカウント等）などであり得る。
【００９４】
例においては、ソーシャルメディアプラットフォーム上で、現在のユーザが、ユーザＡ、Ｂ、およびＣをフォローしている。ユーザＡ、Ｂ、およびＣは、ソーシャルメディアアカウントを使用することによって、ユーザＡ、Ｂ、およびＣによって使用されるインテリジェント端末またはスマートウォッチにインストールされているウォッチフェイス管理アプリケーションにログインし得、ソーシャルメディアプラットフォームは、ユーザＡ、Ｂ、およびＣによって使用されているスマートウォッチのウォッチフェイスパターンＡ、Ｂ、およびＣを入手し得る。図３において示されているように、現在のユーザが、ソーシャルメディアアカウントを使用することによって、現在のユーザによって使用されるインテリジェント端末１０１またはスマートウォッチ１０２上のウォッチフェイス管理アプリケーションにログインすることもできる場合には、ウォッチフェイス管理アプリケーションは、ソーシャルメディアプラットフォーム上でユーザＡ、Ｂ、およびＣのスマートウォッチのウォッチフェイスパターンＡ、Ｂ、およびＣを入手し、そのウォッチフェイスパターンを、現在のユーザが選択および決定するために現在のユーザに推奨し得、選択されたウォッチフェイスパターンが、現在のユーザのスマートウォッチ１０２上に表示される。代替として、ウォッチフェイス管理アプリケーションは、ウォッチフェイスパターンＡ、Ｂ、およびＣのうちの１つ、たとえばウォッチフェイスパターンＡを、決定されたウォッチフェイスパターンであるとして直接設定し、その決定されたウォッチフェイスパターンが、現在のユーザのスマートウォッチ上に提示される。
【００９５】
例においては、図４において示されているように、現在のユーザによって使用されるインテリジェント端末１０１またはスマートウォッチ１０２上のウォッチフェイス管理アプリケーションを使用することによって、現在のユーザによってフォローされている友達の基本的な情報、たとえば、ユーザＡの基本的な情報が表示され得る。その基本的な情報は、ユーザＡによって使用されているスマートウォッチのウォッチフェイスパターンの識別子を含み得、現在のユーザは、ユーザＡのウォッチフェイスパターンの識別子を選択し得る。ウォッチフェイス管理アプリケーションは、対応するウォッチフェイスパターンファイルを、現在のユーザが選択および決定するために、現在のユーザのインテリジェント端末１０１またはスマートウォッチ１０２のディスプレイインターフェースへプッシュし得、次いで、選択されたウォッチフェイスパターンが、現在のユーザのスマートウォッチ１０２上に表示されるか、またはウォッチフェイス管理アプリケーションは、ユーザＡのウォッチフェイスパターンを、決定されたウォッチフェイスパターンであるとして直接設定し、その決定されたウォッチフェイスパターンが、現在のユーザのスマートウォッチ１０２上に提示される。
【００９６】
例においては、近くの範囲内の別のユーザのスマートウォッチのウォッチフェイス情報が、Ｂｌｕｅｔｏｏｔｈ、Ｗｉ−Ｆｉ、またはＮＦＣなどの短距離通信様式で検知され得る。検知されたウォッチフェイスパターンに従って、ウォッチフェイスパターンの変更が実行される。
【００９７】
例においては、別のユーザのスマートウォッチの前述のウォッチフェイスパターンが、ユーザが選択するために、候補ウォッチフェイスパターンとしてユーザに表示され得る。次いで、ユーザの選択に従ってウォッチフェイスパターンが決定され、その決定されたウォッチフェイスパターンが提示される。
【００９８】
例においては、ユーザの好み情報は、ユーザのプリセッティングに従って入手され得、たとえば、ユーザの個性を示さないことをユーザが好む場合には、「近くの腕時計のウォッチフェイスと同じウォッチフェイスを提示する」もしくは「ソーシャル友達のウォッチフェイスと同じウォッチフェイスを提示する」、または同様の含意を伴う別のオプションがプリセットされ得る。別のユーザのスマートウォッチのウォッチフェイスパターンを入手した後に、ユーザによって使用されているスマートウォッチは、別のユーザのスマートウォッチのその入手されたウォッチフェイスパターンを、ユーザによって使用されているスマートウォッチによって入手されたコンテキスト情報に従って提示する。
【００９９】
例においては、本発明のこの実施形態において提供されている、ウォッチフェイスを提示するための方法は、代替として、図５において示されているようなものであり得る。ユーザは、スマートウォッチ１０２の管理プログラムにおいて、近くの匿名のユーザＡによって使用されているスマートウォッチのウォッチフェイスパターン５０１を見ることができる。たとえば、図５におけるオペレーションメニュー５０２を使用することによって、変更オペレーションを実行することにより、ユーザは、ユーザのウォッチフェイスパターンを匿名のユーザＡのウォッチフェイスパターン５０１に変更し得、またはウォッチフェイスパターンが、匿名のユーザＡのスマートウォッチのウォッチフェイスパターン５０１に自動的に変更され得る。
【０１００】
例においては、ユーザは、ユーザの個性を示すことを好み、ユーザのウォッチフェイスパターンが別のユーザのウォッチフェイスパターンとは異なることを期待している。ユーザのスマートウォッチによって入手されるコンテキスト情報内に含まれるユーザの好み情報は、「近くの腕時計のウォッチフェイスとは異なるウォッチフェイスを提示する」、または「ソーシャル友達のウォッチフェイスとは異なるウォッチフェイスを提示する」、または同様の含意を伴うオプションであり得る。次いでスマートウォッチは、コンテキスト情報に従って、別のユーザのウォッチフェイスパターンと同じウォッチフェイスパターンを提示することを回避する。
【０１０１】
例においては、ユーザは、２つの異なるタイプの好み情報を同時にプリセットし得、ユーザは、スマートウォッチ１０２を使用しているときに任意の時点で好み情報を変更する。たとえば、匿名のユーザＡのスマートウォッチのウォッチフェイスパターンなど、近くのウォッチフェイスパターンのみがユーザに表示される。図５において示されているように、ユーザは、ウォッチフェイスパターンを匿名のユーザＡのスマートウォッチのウォッチフェイスパターンに変更することを選択し得るか、もしくはクラシックなウォッチフェイスパターンを選択し得るか、またはユーザは、さらなるウォッチフェイスパターンを入手するためにオペレーションメニューアイテム「さらに見る」５０３をクリックして、匿名のユーザＡのスマートウォッチのウォッチフェイスパターンとは異なるウォッチフェイスパターンを選択し得る。
【０１０２】
図６において示されているように、本発明の特定の実施形態においては、本発明において提供されている、スマートウォッチのウォッチフェイスを提示するための方法について記述するために特定の例が使用されており、この方法は、スマートウォッチ１０２によって実行される。
【０１０３】
ステップ６０１．  第１のコンテキスト情報および第２のコンテキスト情報を定期的に入手する。スマートウォッチは、時刻、インテリジェント端末１０１またはスマートウォッチ１０２の測位システムを使用することによって入手される現在のユーザロケーション、インテリジェント端末１０１またはスマートウォッチ１０２のカメラシステムを使用することによって入手されるユーザの近くの環境の写真およびユーザの着こなしの写真、インテリジェント端末１０１またはスマートウォッチ１０２のセンサシステムによって入手される現在のユーザアクションなどを含む第１のコンテキスト情報および第２のコンテキスト情報をプリセットインターバルで定期的に入手し得る。
【０１０４】
ステップ６０２．  ステップ６０１において入手された第１のコンテキスト情報に従ってスマートウォッチの現在の使用機会、たとえば、仕事のミーティング、スポーツおよびフィットネス、誕生日パーティー、またはカジュアル旅行を決定する。このステップは、スマートウォッチ１０２によって独立して実施され得、またはスマートウォッチ１０２と、スマートウォッチ１０２に接続されているインテリジェント端末１０１とによって協調して実施され得る。特に、使用機会は、シンプルなルールマッチング様式で、またはよりインテリジェントに決定され得、マシン学習アルゴリズムを使用することによって決定され得、たとえば、第１のコンテキスト情報を含む量のトレーニングデータセットと、現在の使用機会のラベルとを使用することによって、それぞれの使用機会Ａに関して１つの機会モデルＭが確立され、第１のコンテキスト情報のグループＳが入手された場合には、ＳがモデルＭに入力され、Ｍの出力が、現在の使用機会が使用機会Ａであるかどうかの決定結果である。さらに、システムが、絶えず入手されるコンテキスト情報および機会ラベル情報を使用することによって機会モデルを学習および更新することができ、それによって、使用機会認識の正確度が改善される。
【０１０５】
ステップ６０３．  ステップ６０２において決定された現在の使用機会が、最後の瞬間に決定された使用機会と同じであるかどうかを決定する。ステップ６０２において決定された現在の使用機会が、最後の瞬間に決定された使用機会と同じである場合、すなわち、現在認識されている使用機会が、最後の瞬間に認識された使用機会から変わっていない場合には、その後のウォッチフェイスパターン変更オペレーションが実行される必要はなく、ステップ６０１が引き続き実行されて、第１のコンテキスト情報および第２のコンテキスト情報を定期的に入手し、そうでない場合には、ステップ６０４が実行される。
【０１０６】
ステップ６０４．  決定された現在の使用機会に従ってウォッチフェイススタイルを決定する。
【０１０７】
ステップ６０５．  ユーザの着こなしの写真など、入手された第２のコンテキスト情報に従ってユーザの現在の着こなし情報を認識する。
【０１０８】
ステップ６０６．  ウォッチフェイススタイルおよびユーザの着こなし情報に従ってウォッチフェイスパターンを提示する。
【０１０９】
本発明のこの実施形態において提供されている、ウォッチフェイスを提示するための方法によれば、現在のシナリオに適しているウォッチフェイスが、ユーザの現在の特徴情報に従って自動的に提示されることが可能であり、それにより、ユーザによってウォッチフェイスを選択するために費やされる時間が低減され、ウォッチフェイスと現在のシナリオとの間における適合度が改善される。
【０１１０】
本発明の別の特定の実施形態においては、３５歳のオフィスレディーが日常の仕事を行っており、これは、本発明のこの実施形態において提供されている、スマートウォッチのウォッチフェイスを提示するための方法について詳細に記述するための例として使用されている。
【０１１１】
はじめに腕時計を設定する際に、ユーザは、個人情報、たとえば、性別：  女性、年齢：  ３５、身長：  １６０ｃｍ、体重：  ５５ｋｇ、および職業：  会社員を入力する。
【０１１２】
このユーザの性別は女性であるので、選択のために利用可能なウォッチフェイススタイルは、漫画、スポーツ、シンプル、ファッション、優美、高貴、エレガント、カジュアルなどを含む。
【０１１３】
このユーザは２５から３５歳の間であるので、選択のために利用可能なウォッチフェイススタイルは、ビジネス、ファッション、スポーツ、抽象、シンプル、ラフ、優美、エレガント、高貴、カジュアルなどを含む。
【０１１４】
このユーザは体格がやせ型であるので、選択のために利用可能なウォッチフェイススタイルは、シンプル、優美、カジュアル、エレガント、高貴などを含む。
【０１１５】
このユーザの職業は会社員であるので、選択のために利用可能なウォッチフェイススタイルは、ビジネス、漫画、スポーツ、抽象、シンプル、ファッション、ラフ、優美、エレガント、カジュアルなどを含む。
【０１１６】
ユーザによって入力された個人情報が全体として考慮に入れられた場合には、このユーザに適しているウォッチフェイススタイルは、シンプル、優美、カジュアル、およびエレガントを含む。
【０１１７】
スマートウォッチ１０２またはインテリジェント端末１０１の測位システムによって入手された、このユーザの現在のロケーション情報は会社であり、現在時刻は午前９：００であり、そしてこのユーザの現在の使用機会は、日常の仕事時と認識されており、日常の仕事の機会に対応するウォッチフェイススタイルは、ビジネスおよびシンプルである。ユーザによって入力された個人特徴情報と、使用機会情報とに全体として従って決定されたウォッチフェイススタイルによれば、シンプルが、このユーザに現在最も適しているウォッチフェイススタイルとして決定される。
【０１１８】
ユーザは、スマートウォッチ１０２またはインテリジェント端末１０１のカメラを使用することによってセルフィーを撮影し、青色のドレスおよびシルクストッキング（表３におけるシーケンス番号３を参照されたい）が、ユーザの現在の着こなしとして認識され、黒色のウォッチフェイスパターンが、このユーザに現在最も適しているウォッチフェイスパターンとして決定される。
【０１１９】
最後に、シンプルスタイルでの３つの黒色のウォッチフェイスパターンＡ、Ｂ、およびＣが選別されて、ユーザが選択するために、ユーザに表示される。ユーザは、それらの３つのウォッチフェイスパターンからウォッチフェイスパターンＢを選択し、ウォッチフェイスパターンが変わって、パターンＢになる。このユーザがかつてウォッチフェイスパターンＡを複数回にわたって選択しているということが記録されている場合には、ウォッチフェイスパターンＡがこのユーザによって好まれているということが考えられ得、したがってシステムは、ウォッチフェイスパターンＡを、ユーザが選択するためにデフォルトの推奨ウォッチフェイスパターンとして優先してユーザに表示し得、またはウォッチフェイスパターンＡが直接決定および提示され得る。
【０１２０】
本発明のこの実施形態において提供されている、スマートウォッチのウォッチフェイスを提示するための方法によれば、現在のシナリオに適しているウォッチフェイスが、ユーザの個人特徴情報および現在の特徴情報に従って自動的に提示されることが可能であり、それにより、ユーザによってウォッチフェイスを選択するために費やされる時間が低減され、ウォッチフェイス、現在のシナリオ、および個人特徴の間における適合度が改善される。
【０１２１】
本発明の実施形態は、本発明の実施形態において提供されている、および前述の内容において記述されている、ウォッチフェイスを提示するための方法を実行するように構成されている、スマートウォッチのウォッチフェイスを提示するための装置を提供する。図７において示されているように、この装置は、第１のコンテキスト情報および第２のコンテキスト情報を検知および／または受信するステップであって、第１のコンテキスト情報は、スマートウォッチのウォッチフェイススタイルを決定するために使用され、第２のコンテキスト情報は、ユーザの着こなし情報を示すために使用される、ステップを行うように構成されている検知ユニット７０１および／または受信ユニット７０２と、検知ユニット７０１によって検知される、および／または受信ユニット７０２によって受信される第１のコンテキスト情報に従ってスマートウォッチのウォッチフェイススタイルを決定するステップを行うように構成されている決定ユニット７０３と、決定ユニットによって決定された、スマートウォッチのウォッチフェイススタイル、ならびに検知ユニットによって検知される、および／または受信ユニットによって受信される第２のコンテキスト情報に従ってスマートウォッチのウォッチフェイスパターンを提示するステップを行うように構成されている提示ユニット７０４とを含む。
【０１２２】
この装置の機能ユニットの別の機能に関しては、前述の内容における、ウォッチフェイスを提示するための方法についての関連した説明に対して参照が行われ得る。詳細がここで繰り返されることはない。
【０１２３】
本発明のこの実施形態において提供されている、スマートウォッチのウォッチフェイスを提示するための装置によれば、現在のシナリオに適しているウォッチフェイスが、ユーザの個人特徴情報および現在の特徴情報に従って自動的に提示されることが可能であり、それにより、ユーザによってウォッチフェイスを選択するために費やされる時間が低減され、ウォッチフェイス、現在のシナリオ、および個人特徴の間における適合度が改善される。
【０１２４】
本発明のこの実施形態において提供されている装置およびスマートウォッチによれば、第１のコンテキスト情報および第２のコンテキスト情報が検知および／または受信されることが可能であり、第１のコンテキスト情報に従ってウォッチフェイススタイルが決定されることが可能であり、次いで第２のコンテキスト情報を参照してウォッチフェイスパターンが提示される。この方法においては、ウォッチフェイスパターンを自動的に提示するプロセスが最適化され、ウォッチフェイススタイル、ウォッチフェイスパターン、および使用シナリオの間における適合度が改善され、ユーザによってウォッチフェイスパターンを選択するために費やされる時間およびエネルギーが低減される。
【０１２５】
本発明の実施形態はさらに、本発明の実施形態において提供されている、および前述の内容において記述されている、ウォッチフェイスを提示するための別の方法を実行するように構成されている、スマートウォッチのウォッチフェイスを提示するための別の装置を提供する。図８において示されているように、この装置は、ユーザの好み情報、および少なくとも１人の別のユーザのウォッチフェイスパターンを検知または受信するステップであって、ユーザの好み情報は、少なくとも１人の別のユーザのウォッチフェイスパターンと同じウォッチフェイスパターンを有することをユーザが好むかどうかを示すために使用され、少なくとも１人の別のユーザは、ユーザのソーシャルメディア友達、ユーザによってフォローされているソーシャルメディアオブジェクト、または近くのユーザのうちの１人または複数を含む、ステップを行うように構成されている検知ユニット８０１および／または受信ユニット８０２と、少なくとも１人の別のユーザのウォッチフェイスパターンの１つをユーザの好み情報に従って提示するステップを行うように構成されている提示ユニット８０３とを含む。
【０１２６】
この装置の有益な効果に関しては、前述の方法によってもたらされる有益な効果に対して参照が行われ得る。繰り返される内容が再び記述されることはない。
【０１２７】
本発明の実施形態はさらに、図９において示されているように、本発明の実施形態において提供されている、スマートウォッチのウォッチフェイスを提示するための前述の方法を実施するように構成されているスマートウォッチを提供する。
【０１２８】
図９は、本発明のこの実施形態に関連した、スマートウォッチの部分構造のブロック図である。このスマートウォッチは、トランシーバ回路９１０、メモリ９３０、別の入力デバイス９６０、ディスプレイスクリーン９８０、センサ９７０、Ｉ／Ｏサブシステム９５０、プロセッサ９２０、および電源９４０などの部分を含む。別の入力デバイス９６０は、ユーザ音声入力装置、ユーザオペレーション入力装置などをさらに含み得る。センサ９７０は、測位装置、カメラ装置、アクションセンサ装置などをさらに含み得る。
【０１２９】
図９において示されているスマートウォッチ構造は、スマートウォッチ上の限定を構成するものではなく、このスマートウォッチは、図において示されているものよりも多くの部分もしくは少ない部分、またはいくつかの部分の組合せ、またはいくつかの部分の分割、または異なって配置された部分を含み得るということを当業者なら理解し得る。
【０１３０】
トランシーバ回路９１０は、第１のコンテキスト情報および第２のコンテキスト情報を受信するように構成され得、別の入力デバイス９６０およびセンサ９７０は、第１のコンテキスト情報および第２のコンテキスト情報を検知するように構成され得る。第１のコンテキスト情報は、スマートウォッチのウォッチフェイススタイルを決定するために使用され、第２のコンテキスト情報は、ユーザの着こなし情報を示すために使用される。プロセッサ９２０はさらに、第１のコンテキスト情報に従ってスマートウォッチのウォッチフェイススタイルを決定し、そのウォッチフェイススタイルおよび第２のコンテキスト情報に従って、ディスプレイスクリーン９８０がスマートウォッチのウォッチフェイスパターンを提示することを可能にするように構成され得る。
【０１３１】
前述の機能部分の別の好ましい機能に関しては、前述の内容において記述されている、本発明の実施形態において提供されている、スマートウォッチのウォッチフェイスを提示するための方法における受信プロセスに対して参照が行われ得る。詳細がここで繰り返されることはない。
【０１３２】
本発明の実施形態はさらに、図１０において示されているように、本発明の実施形態において提供されている、スマートウォッチのウォッチフェイスを提示するための前述の別の方法を実施するように構成されている別のスマートウォッチを提供する。
【０１３３】
図１０は、本発明のこの実施形態に関連した、スマートウォッチの部分構造のブロック図である。このスマートウォッチは、トランシーバ回路１０１０、メモリ１０３０、別の入力デバイス１０６０、ディスプレイスクリーン１０８０、センサ１０７０、Ｉ／Ｏサブシステム１０５０、プロセッサ１０２０、および電源１０４０などの部分を含む。別の入力デバイス１０６０は、ユーザ音声入力装置、ユーザオペレーション入力装置などをさらに含み得る。センサ１０７０は、測位装置、カメラ装置などをさらに含み得る。
【０１３４】
図１０において示されているスマートウォッチ構造は、スマートウォッチ上の限定を構成するものではなく、このスマートウォッチは、図において示されているものよりも多くの部分もしくは少ない部分、またはいくつかの部分の組合せ、またはいくつかの部分の分割、または異なって配置された部分を含み得るということを当業者なら理解し得る。
【０１３５】
トランシーバ回路１０１０は、ユーザの好み情報、および少なくとも１人の別のユーザのウォッチフェイスパターンを受信するように構成され得、別の入力デバイス１０６０およびセンサ１０７０は、ユーザの好み情報、および少なくとも１人の別のユーザのウォッチフェイスパターンを検知するように構成され得る。ユーザの好み情報は、少なくとも１人の別のユーザのウォッチフェイスパターンと同じウォッチフェイスパターンを有することをユーザが好むかどうかを示すために使用され、少なくとも１人の別のユーザは、ユーザのソーシャルメディア友達、ユーザによってフォローされているソーシャルメディアオブジェクト、または近くのユーザのうちの１人または複数を含む。ディスプレイスクリーン１０８０は、少なくとも１人の別のユーザのウォッチフェイスパターンの１つをユーザの好み情報に従って提示するように構成され得る。
【０１３６】
前述の機能部分の別の好ましい機能に関しては、前述の内容において記述されている、本発明の実施形態において提供されている、スマートウォッチのウォッチフェイスを提示するための別の方法における受信プロセスに対して参照が行われ得る。詳細が本明細書で繰り返されることはない。
【０１３７】
本明細書において開示されている実施形態において記述されている例と組み合わせて、電子ハードウェア、コンピュータソフトウェア、またはそれらの組合せを使用することによって、ユニットおよびアルゴリズムステップが実施されることが可能であるということに当業者ならさらに気づき得る。ハードウェアとソフトウェアとの間における互換性について明確に記述するために、前述の内容は、それぞれの例の構成およびステップを機能に従って一般的に記述している。機能が、ハードウェアを使用することによって実行されるか、またはソフトウェアを使用することによって実行されるかは、技術的なソリューションの特定の用途および設計制約条件に依存する。当業者なら、記述されている機能をそれぞれの特定の用途に関して実施するためにさまざまな方法を使用し得るが、その実施は本発明の範囲を超えているとみなされるべきではない。
【０１３８】
実施形態の前述の方法のそれぞれにおけるステップのうちのすべてまたは一部は、プロセッサに指示するプログラムによって実施され得るということを当技術分野における標準的な技術者なら理解し得る。前述のプログラムは、コンピュータ可読記録媒体内に格納され得る。その記録媒体は、非一時的（ｎｏｎ−ｔｒａｎｓｉｔｏｒｙ）メディア、たとえば、ランダムアクセスメモリ、読み取り専用メモリ、フラッシュメモリ、ハードディスク、ソリッドステートドライブ、磁気テープ（ｍａｇｎｅｔｉｃ  ｔａｐｅ）、フロッピーディスク（ｆｌｏｐｐｙ  ｄｉｓｋ）、光ディスク（ｏｐｔｉｃａｌ  ｄｉｓｃ）、またはそれらの任意の組合せであり得る。
【０１３９】
前述の特定の実装形態においては、本発明の目的、技術的なソリューション、および利点が詳細にさらに記述されている。前述の説明は、本発明の特定の実装形態にすぎず、本発明の保護範囲を限定することを意図されているものではないということを理解されたい。本発明の原理から逸脱することなく作成されるいかなる修正形態、均等な代替形態、または改良形態も、本発明の保護範囲内に収まるものとする。
【国際調査報告】
2019512667.tif 000025
2019512667.tif 000026
2019512667.tif 000027
2019512667.tif 000028
2019512667.tif 000029
2019512667.tif 000030